(57)【要約】【解決手段】  本発明の実施例は、売買及び展示ラックとして使用するようにラックを変換するため、倉庫式ラック内に設置可能な構成を提供する。この態様では、倉庫式ラックは、より大きな数の棚及び／又は製品格納展示構成に適合するため、かなり増大した調整能力が提供される。倉庫式ラック内に設置された構成は、補助的な前後部張り材に接続される補助的直立材を含み得る。好ましくは、補助的直立材と補助的前後部との間の接続は、該補助的な直立材を倉庫式ラック内の異なる位置に固定できるように調整可能である。好ましくは、補助的な直立材は、幾つかの実施例では、補助的な直立材を、ラック内の異なる前後部位置に固定でき、及び／又は、補助的な直立材を、補助的な前後部張り材に関して異なる垂直位置で固定することができる。
2005532237.tif 000002
【特許請求の範囲】
【請求項１】
倉庫ラックに設置するための倉庫ラック変換アッセンブリであって、
前記倉庫ラックは、
表面上に支持された複数の直立材と、
前記複数の直立材に連結され且つ該直立材の間に延在する、複数の側部張り材と、
前記複数の直立材に連結され且つ該直立材の間に延在する、複数の前後部張り材と、を有し、
前記倉庫ラック変換アッセンブリは、
下側の補助的前後部張り材であって、該下側の補助的前後部張り材の両端部で前記倉庫ラックの側部張り材に連結されるように構成され、且つ、前記倉庫ラックの前後部張り材の間に配置された、前記下側の補助的前後部張り材と、
前記下側の補助的前後部張り材よりも高い位置に配置された上側の補助的前後部張り材であって、該上側の補助的前後部張り材の両端部で前記倉庫ラックの側部張り材に連結されるように構成され、且つ、前記倉庫ラックの前後部張り材の間に配置された、前記上側の補助的前後部張り材と、
前記下側の補助的前後部張り材及び前記上側の補助的前後部張り材の間に延在し、且つ、これらの張り材により支持された補助的直立材と、
を備える、倉庫ラック変換アッセンブリ。  
【請求項２】
前記アッセンブリは、重量を有し、負荷に耐え、
前記アッセンブリの前記重量及び負荷は、前記倉庫ラックによって完全に保持される、請求項１に記載の倉庫ラック変換アッセンブリ。
【請求項３】
前記上側及び下側の補助的前後部張り材は、前記倉庫ラックの異なる横方向位置に調整可能である、請求項１に記載の倉庫ラック変換アッセンブリ。
【請求項４】
前記倉庫ラックは、前記倉庫ラックの前部及び後部の間で画定された深さを有し、
前記補助的直立材は、前記倉庫ラック内の異なる深さで前記上側及び下側の補助的前後部張り材に調整可能に接続可能となる、請求項１に記載の倉庫ラック変換アッセンブリ。
【請求項５】
前記補助的直立材は、前記上側の補助的前後部張り材の上方に延在する、請求項１に記載の倉庫ラック変換アッセンブリ。
【請求項６】
前記下側の補助的前後部張り材は、第１の下側補助的前後部張り材であり、前記上側の補助的前後部張り材は、第１の上側補助的前後部張り材であり、前記補助的直立材は、第１の補助的直立材であり、
前記倉庫ラック変換アッセンブリは、
第２の下側補助的前後部張り材であって、該第２の下側補助的前後部張り材の両端部で前記倉庫ラックの側部張り材に連結されるように構成され、前記倉庫ラックの前後部張り材の間に配置され、且つ、前記第１の下側補助的前後部張り材から横方向に間隔を隔てられた、前記第２の下側補助的前後部張り材と、
前記第２の下側補助的前後部張り材よりも高い位置に配置された第２の上側補助的前後部張り材であって、該第２の上側補助的前後部張り材の両端部で前記倉庫ラックの側部張り材に連結されるように構成され、前記倉庫ラックの前後部張り材の間に配置され、且つ、前記第１の上側補助的前後部張り材から横方向に間隔を隔てられた、前記第２の上側補助的前後部張り材と、
前記第２の上側補助的前後部張り材及び前記第２の下側補助的前後部張り材の間に延在し、且つ、これらの張り材により支持された第２の補助的直立材と、
を備える、請求項１に記載の倉庫ラック変換アッセンブリ。
【請求項７】
前記第１及び第２の補助的直立材に連結され、且つ、これらの直立材の間に延在する、梁部を更に備える、請求項６に記載の倉庫ラック変換アッセンブリ。
【請求項８】
前記梁部に連結された壁パネルを更に備える、請求項７に記載の倉庫ラック変換アッセンブリ。
【請求項９】
前記第１及び第２の補助的直立材に連結され、且つ、これらの直立材により支持される、棚部を更に備える、請求項６に記載の倉庫ラック変換アッセンブリ。
【請求項１０】
前記棚部は、前記第１及び第２の補助的直立材において異なる高さに調整可能である、請求項９に記載の倉庫ラック変換アッセンブリ。
【請求項１１】
前記第１及び第２の下側補助的前後部張り材に連結され、且つ、これらの張り材の間に延在する、梁部を更に備える、請求項６に記載の倉庫ラック変換アッセンブリ。
【請求項１２】
前記補助的直立材に連結され、且つ、該直立材により支持される、棚部を更に備える、請求項１に記載の倉庫ラック変換アッセンブリ。
【請求項１３】
前記棚部は、前記補助的直立材において異なる高さに調整可能である、請求項１２に記載の倉庫ラック変換アッセンブリ。
【請求項１４】
倉庫ラックに設置するための倉庫ラック変換アッセンブリであって、
前記倉庫ラックは、前後及び後部の直立材を備え、該前部の直立材は、上側及び下側の前側部張り材により一緒に連結され、該後部の直立材は、上側及び下側の後側部張り材により一緒に連結され、前記倉庫ラックは、該倉庫ラックの前記前後及び後部の直立材の間で画定された深さを有しており、
前記倉庫ラック変換アッセンブリは、
前記ラックの前記上側の前側部張り材と前記上側の後側部張り材とにより支持され、これらの張り材の間に延在する第１の上側前後部張り材と、
前記第１の上側前後部張り材から横方向に間隔を隔てられ、前記ラックの前記上側の後側部張り材と前記上側の後側部張り材とにより支持され、これらの張り材の間に延在する、第２の上側前後部張り材と、
前記ラックの前記下側の前側部張り材と前記下側の後側部張り材とにより支持され、これらの張り材の間に延在する第１の下側前後部張り材と、
前記第１の下側前後部張り材から横方向に間隔を隔てられ、前記ラックの前記下側の後側部張り材と前記下側の後側部張り材とにより支持され、これらの張り材の間に延在する、第２の下側前後部張り材であって、前記上側及び下側の前後部張り材は、重量を有し、負荷を保持し、該上側及び下側の前後部張り材の重量及び負荷は、前記倉庫ラックの前記前側部張り材及び後側部張り材とにより少なくとも部分的に保持される、前記第２の下側前後部張り材と、
前記第１及び第２の上側補助前後部張り材と、前記第１及び第２の下側補助前後部張り材とにより支持され、これらの張り材の間で延在する、第１及び第２の補助的直立材と、
倉庫ラック変換アッセンブリ。
【請求項１５】
前記第１及び第２の補助的直立材は、前記倉庫ラック内の前部直立材と後部直立材との間で複数の異なる深さに調整可能となる、請求項１４に記載の倉庫ラック変換アッセンブリ。
【請求項１６】
前記アッセンブリは、重量を有し、負荷に耐え、
前記アッセンブリの前記重量及び負荷は、前記倉庫ラックによって完全に保持される、請求項１４に記載の倉庫ラック変換アッセンブリ。
【請求項１７】
前記第１及び第２の補助的直立材は、前記第１及び第２の上側補助的前後部張り材に沿った異なる位置に、該第１及び第２の上側補助的前後部張り材に調整可能に接続可能となり、
前記第１及び第２の補助的直立材は、前記第１及び第２の下側補助的前後部張り材に沿った異なる位置に、該第１及び第２の下側補助的前後部張り材に調整可能に接続可能となる、請求項１４に記載の倉庫ラック変換アッセンブリ。
【請求項１８】
前記第１及び第２の上側前後部張り材は、前記ラックの前記上側の前側部張り材及び前記上側の後側部張り材に沿った異なる横方向位置に調整可能であり、
前記第１及び第２の下側前後部張り材は、前記ラックの前記下側の前側部張り材及び前記下側の後側部張り材に沿った異なる横方向位置に調整可能である、請求項１４に記載の倉庫ラック変換アッセンブリ。
【請求項１９】
前記第１及び第２の補助的直立材は、前記第１及び第２の上側の補助的前後部張り材の上方に垂直に延在する、請求項１４に記載の倉庫ラック変換アッセンブリ。
【請求項２０】
前記第１及び第２の補助的直立材に連結され、該第１及び第２の補助的直立材の間に延在する、梁部を更に備える、請求項１４に記載の倉庫ラック変換アッセンブリ。
【請求項２１】
前記梁部に連結された壁パネルを更に備える、請求項２０に記載の倉庫ラック変換アッセンブリ。
【請求項２２】
前記第１及び第２の補助的直立材に連結された棚部を更に備える、請求項１４に記載の倉庫ラック変換アッセンブリ。
【請求項２３】
前記棚部は、前記第１及び第２の補助的直立材に沿った異なる高さに調整可能である、請求項２２に記載の倉庫ラック変換アッセンブリ。
【請求項２４】
前記第１及び第２の上側前後部張り材に連結され、該第１及び第２の上側前後部張り材の間に延在する、梁部を更に備える、請求項１４に記載の倉庫ラック変換アッセンブリ。
【請求項２５】
倉庫ラックを商品格納展示ラックに変換する方法であって、
下側補助的前後部張り材を、前記倉庫ラックの下側の前側部張り材及び下側の後側部張り材上で支持し、
上側補助的前後部張り材を、前記倉庫ラックの上側の前側部張り材及び上側の後側部張り材上で支持し、
前記下側及び上側の補助的前後部張り材の間に延在して、これらの張り材により支持される位置に補助的直立材を配置する、各工程を備える、方法。
【請求項２６】
前記下側の補助的前後部張り材は、第１の下側補助的前後部張り材であり、前記上側の補助的前後部張り材は、第１の上側補助的前後部張り材であり、前記補助的直立材は、第１の補助的直立材であり、
前記方法は、
第２の下側補助的前後部張り材を、前記倉庫ラックの下側の前側部張り材及び下側の後側部張り材上で支持し、
第２の上側補助的前後部張り材を、前記倉庫ラックの上側の前側部張り材及び上側の後側部張り材上で支持し、
前記下側及び上側の補助的前後部張り材の間に延在して、これらの張り材により支持される位置に、第２の補助的直立材を配置する、各工程を備える、請求項２５に記載の方法。
【請求項２７】
前記第１及び第２の補助的直立材に梁部を連結し、該梁部は該第１及び第２の補助的直立材の間の距離に亘っている、工程を更に備える、請求項２６に記載の方法。
【請求項２８】
壁パネルを前記梁部に連結し、
前記壁パネルの少なくとも一部分を前記梁部上で支持する、各工程を更に備える、請求項２７に記載の方法。
【請求項２９】
前記第１及び第２の補助的直立材に棚部を連結する工程を更に備える、請求項２６に記載の方法。
【請求項３０】
前記第１及び第２の補助的直立材の少なくとも一部分に沿った複数の棚位置の間で、前記棚部のための位置を選択する工程を更に備える、請求項２９に記載の方法。
【請求項３１】
前記第１及び第２の下側の補助的前後部張り材に梁部を連結し、該梁部は第１及び第２の下側の補助的前後部張り材の間の距離に亘っている、工程を更に備える、請求項２６に記載の方法。
【請求項３２】
前記補助的直立材が接続可能となる前記上側及び下側の補助的前後部張り材に沿った複数の位置の間で、該補助的直立材の位置を選択する工程を更に備える、請求項２５に記載の方法。
【請求項３３】
前記下側補助的前後部張り材が接続可能となる前記下側の前側部及び後側部の張り材に沿った複数の位置の間で、該下側補助的前後部張り材の位置を選択し、
前記上側補助的前後部張り材が接続可能となる前記上側の前側部及び後側部の張り材に沿った複数の位置の間で、該上側補助的前後部張り材の位置を選択する、各工程を更に備える、請求項２５に記載の方法。
【請求項３４】
倉庫ラックに設置するための倉庫ラック変換アッセンブリであって、
前記倉庫ラックは、
表面上に支持された複数の直立材と、
前記複数の直立材に連結され且つ該直立材の間に延在する、複数の側部張り材と、
前記複数の直立材に連結され且つ該直立材の間に延在する、複数の前後部張り材と、を有し、
前記倉庫ラック変換アッセンブリは、
第１の補助的前後部張り材であって、該第１の補助的前後部張り材の両端部で前記倉庫ラックの側部張り材により支持される、前記第１の補助的前後部張り材と、
前記第１の補助的前後部張り材から異なる高さで配置された、第２の補助的前後部張り材と、
前記第１及び第２の補助的前後部張り材の間に延在し、前記第１の補助的前後部張り材により支持される補助的直立材であって、該第１の補助的前後部張り材は、前記第２の補助的前後部張り材の負荷も支持する、前記補助的直立材と、
を備える、倉庫ラック変換アッセンブリ。  
【請求項３５】
前記第１の補助的前後部張り材は、前記第２の補助的前後部張り材の上方にある、請求項３４に記載の倉庫ラック変換アッセンブリ。
【請求項３６】
前記第１の補助的前後部張り材は、前記第２の補助的前後部張り材の下方にある、請求項３４に記載の倉庫ラック変換アッセンブリ。
【請求項３７】
前記第１及び第２の補助的前後部張り材は、前記倉庫ラックの異なる横方向位置に調整可能である、請求項３４に記載の倉庫ラック変換アッセンブリ。
【請求項３８】
前記倉庫ラックは、前記倉庫ラックの前部及び後部の間で画定された深さを有し、
前記補助的直立材は、前記倉庫ラック内の異なる深さで前記第１及び第２の補助的前後部張り材に調整可能に接続可能となる、請求項３４に記載の倉庫ラック変換アッセンブリ。
【請求項３９】
倉庫ラックに設置するための倉庫ラック変換アッセンブリであって、
前記倉庫ラックは、表面上に支持された複数の直立材を有し、
前記倉庫ラック変換アッセンブリは、
前記倉庫ラックの直立材に連結され、該直立材により支持される、第１の前後部張り材と、
前記第１の前後部張り材から異なる高さで前記倉庫ラック上に配置された、第２の前後部張り材と、
前記第１及び第２の前後部張り材の間に延在し、前記第１の前後部張り材により支持される補助的直立材と、
を備える、倉庫ラック変換アッセンブリ。  
【請求項４０】
前記第２の前後部張り材は、前記第１の前後部張り材を支持する前記直立材に連結され、該直立材により支持されている、請求項３９に記載の倉庫ラック変換アッセンブリ。
【請求項４１】
前記第１の前後部張り材を支持する前記直立材は、前記倉庫ラックの前部及び後部の直立材である、請求項３９に記載の倉庫ラック変換アッセンブリ。
【請求項４２】
倉庫ラックのための倉庫ラック変換アッセンブリであって、
前記ラックにより支持された第１の前後部張り材と、
前記第１の前後部張り材により支持された補助的直立材と、
を備える、倉庫ラック変換アッセンブリ。  
【請求項４３】
前記第２の前後部張り材は、前記第１の前後部張り材とは異なる高さに配置され、前記ラックにより支持されている、請求項４２に記載の倉庫ラック変換アッセンブリ。  
【請求項４４】
前記補助的直立材は、前記第１及び第２の前後部張り材の間に延在している、請求項４３に記載の倉庫ラック変換アッセンブリ。  
【請求項４５】
前記補助的直立材は、前記第１及び第２の前後部張り材に連結されている、請求項４４に記載の倉庫ラック変換アッセンブリ。
【請求項４６】
前記第１の前後部張り材は、前記補助的直立材を支持し、
前記補助的直立材は、前記第２の前後部張り材を支持している、請求項４３に記載の倉庫ラック変換アッセンブリ。
【発明の詳細な説明】
【技術分野】
【０００１】
優先権は、２００１年５月２５日に出願された米国仮特許出願シリアル番号６０／２９３，９５４と、同じタイトルで、２００２年５月８日に出願された米国仮特許出願シリアル番号（出願番号はまだ知られていない）とに基づいて請求されている。
【０００２】
本発明は、ラックに係り、より詳しくは、商品及び他の品目を格納し展示するための調整可能なラック及びラックシステム、並びに、そのようなラック及びラックシステムの構成部品に関する。
【背景技術】
【０００３】
従来の倉庫式ラックは、それらが当初設計対象となっていなかった用途において益々使用されるようになっている。以前には、そのようなラックは、製品を、ばら荷形態で格納、整理するため、格納場及び倉庫の設備で一般に用いられてきた。しかし、コストを節約する目的のため、倉庫式の格納庫の人気が増してきており、多くのユーザーは、今や、小売体制で倉庫式のラックを用いている。そのようなラックは強固で、耐久性があり、大量の製品を格納することができるが、商品を展示し、格納するため倉庫式のラックを使用するときに（並びに他の目的のため）幾つかの欠点が存在する。
【０００４】
ほんの一例を挙げると、従来の倉庫式ラックは、比較的大きなサイズのラック構成部品に起因して、それらの調整能力の点で、よって、可能となる異なる棚形態の点で、かなり制限を受けている。多数の倉庫式ラックにおいては、張り材は、垂直に延びた直立材を接続するため、横方向及び前後方向に延在している。そのような直立材は、典型的には、張り材を接続することができるところの位置の数を制限する。この制限は、少なくとも部分的には、そのようなラックを頑丈にする設計の結果である。該ラックは、ほとんどの小売体制で見出される比較的軽量級の商品ラック及び展示物よりも遙かに大型の荷物を載せることが意図されている。
【０００５】
別の例として、倉庫式ラックは、商品及び他の製品を、制限された数より多い状態で、展示、格納するには十分に適していない。典型的には、倉庫式ラックは、比較的大きな棚部を有し、該棚部の各々は、開放スペースを提供し、その上に製品を格納することができる。制限された量の空間で、大量の製品を格納するには適しているが、そのようなラックは、商品を展示すること、少量の製品を効率的に格納、展示すること（例えば、縛っていない形態の商品、個々に包装された製品等々）、棚整理及び展示の容易な調整を可能にすること、及び、他の目的を実現することのためには、適していない。
【発明の開示】
【課題を解決するための手段】
【０００６】
本発明の幾つかの実施例は、売買及び／又は展示ラックとして使用するためのラックを変換するため、倉庫式ラック内に設置することができる構成を提供する。この態様では、倉庫式ラックは、より大きな数の棚及び／又は製品格納展示構成に適合するため、かなり増大した調整能力が提供される。
【０００７】
幾つかの実施例では、倉庫式ラック内に設置された構成は、次の構成要素のうち１つ以上を含んでいる。即ち、補助的な前後部張り材、ラック上で上側及び下側の補助的前後部張り材を接続する補助的直立材、補助的な前後部張り材を一緒に接続する安定化バー、補助的な直立材及び／又は補助的な前後部張り材を接続する支持スペーサー、及び、補助的な直立材及び／又は補助的な前後部張り材に直接的又は間接的に接続された展示壁若しくはパネルである。
【０００８】
好ましくは、補助的な直立材は、該補助的な直立材を倉庫式ラック内の異なる位置に固定することができるように、補助的な前後部張り材に調整可能に接続される。幾つかの実施例では、補助的な直立材を、ラック内の異なる前後部位置に固定することができる。他の実施例では、補助的な直立材を、補助的な前後部張り材に関して異なる垂直位置で固定することができる。更に他の実施例では、補助的な直立材を、補助的な前後部張り材に関して、異なる前後部位置に、並びに、異なる垂直位置で固定することができる。
【０００９】
本発明の構成は、ユーザーが、倉庫式ラックを、小売環境のためより適し、異なる商品及び他の製品を展示するためより良く適し、及び／又は、異なるユーザー及び用途の要求に合致させる調整能力を増大させた、格納展示ラックへと変換することを可能にする。
【００１０】
以下、本発明の好ましい実施例を示す、添付図面を参照して、本発明を説明する。しかし、添付図面に開示された発明は、単なる例示にしか過ぎない。以下で述べられ図面に示された、様々な要素及び要素の組み合わせを、本発明の精神及び範囲内に含まれる実施例をもたらすため、異なる仕方で配列し、構成することができる。
【実施例】
【００１１】
図１に示されるように、標準的な倉庫式ラックシステムは、通常、側部張り材１２と、水平及び対角線上に延びる前後部の張り材１４とにより一緒に接続された、幾つかの直立材１０を用いる。直立材１０及び張り材１２、１４は、管状の中実体であってもよく、任意の断面形状を持つことができる。ほんの一例を挙げると、直立材１０及び／又は張り材１２、１４は、中空の直方体、Ｃ字形状、丸い形状、又は、Ｉ若しくはＪ字形状等、要求され若しくは所望することができる様々な断面を持つことができる。これらの要素は、中実のバー若しくはロッドであってもよく、又は、適宜、フランジ、延長部及び他の特徴を備えた他の多角形断面を持つことができる。ある人気の高いラックスタイルが図面に示されている。このラックスタイルでは、幾つかのＣ字形状の直立材１０が、中空のステップ付きの長方形断面を有する側部張り材１２と、中空の長方形断面を有する前後部の張り材１４により一緒に接続される。直立材１０及び張り材１２，１４は、例えば、金属、複合物、高強度プラスチック等の任意の弾性材料から作られていてもよい。最も好ましくは、これらの要素は、例えば鋼鉄、鉄又はアルミニウム等の比較的高い強度の材料から作られている。
【００１２】
前後部張り材は、側部張り材に任意の適切な態様で側部張り材に接続されてもよく、側部張り材１２に関して垂直又は他の任意角度で延在することができる。更に他の種類の張り材を所望時に用いることができる。
【００１３】
典型的には、直立材１０は、いずれか１つの又は両方の種類の張り材１２、１４に調整可能に接続することができる。直立材１０と張り材１２、１４との間の調整可能な接続は、幾多の異なる従来の態様で達成することができる。例えば、直立材１０は、それらの長さの全て又は一部分に沿って一連のアパーチャを持つことができ、該アパーチャ内には、張り材１２、１４の端部に形成された、ピン、ポスト、キー、フィンガー部又は他の突起部が直立材１０への接続のため延在している。代替として又はこれに加えて、例えばピン及び嵌合アパーチャ等の従来型留め具、直立材１０及び張り材１２のいずれか又は両方を通過した、ねじ切り留め具、クランプ、並びに、直立材１０及び張り材１２、１５上に設けられた相互固定式フランジ等を用いることができる。直立材１０を張り材のいずれか一方若しくは両方の張り材１２、１４に解放可能に且つ調整可能に接続する更に他の態様は、本質的に従来技術であり、従って、本明細書では、これ以上説明を要しない。
【００１４】
幾つかの種類のラックでは、いずれか一方又は両方の種類の張り材１２、１４は、例えば溶接、ブレーズ溶接、リベット止め等により、又は、張り材１２、１４を直立材１０と一体に形成することにより、直立材１０に永久的に接続される。図１乃至図９Ｃに図示された好ましい実施例では、直立材１０は、該直立材１０の嵌合アパーチャ内に解放可能に挿入された、側部張り材１２上のピンにより、側部張り材１２に解放可能に接続されている。これと同じ実施例では、前後部張り材１４は、溶接により直立材１０に永久的に固定される。この態様では、側部張り材１２は、直立材から、前後部の張り材アッセンブリから引き離すことができる（所望ならば、格納又は輸送のため容易に積み重ねることができる）。
【００１５】
上述したラックの棚部の高さは、該棚部を支持するため用いられる張り材の接続位置により規定される。この点において、棚部の高さは、棚部が前後部の張り材１４の上に乗ってこれにより支持される場合には、前後部の張り材１４の高さにより決定され、棚部が側部の張り材１２の上に乗ってこれにより支持される場合には、側部の張り材１２の高さにより決定される。図示の好ましい実施例では、例えば、倉庫ラックの棚部は、側部張り材１２によってのみ支持される。このため、本実施例では、側部張り材１２と直立材１０との間の接続の位置（例えば、側部張り材１２が接続されているところの直立材のアパーチャ）が、ラックの棚部の高さを決定する。
【００１６】
上記のように、従来型の倉庫式ラックで比較的大きいサイズの張り材１２、１４は、ラックの調整能力及び利用可能な棚部構成をかなり制限する。このことは、張り材１２、１４のいずれか１つ又は両方の種類が直立材１０に調整可能に接続されている態様に拘わらず、当てはまる。本発明の幾つかの実施例では、従来の倉庫式ラックは、より大きな数の棚形態に適合する調整能力を増加させる構成が備え付けられている。例えば、図示の好ましい実施例では、この目的のため用いられる構成は、２次直立材１８を支持する補助的な前後部の張り材１６を備えている。好ましくは、本発明は、倉庫式ラックの側部張り材１２上の所望の位置に補助的な前後部の張り材１６を保持し、本発明の構成を強化するための１つ以上の安定化バー２０と、補助的な直立材１８の横方向の強度及び剛性を増大させるため及び／又は補助的な直立材１８により支持されるべき他の展示構成の接続のための１つ以上の支持スペーサー２２と、１つ以上の展示パネル又は壁部２４と、商品を展示し、支持することができる１つ以上の棚部２６と、を用いる。本発明の様々な実施例は、これらの追加の要素のうち任意数を所望のように用いることができる。
【００１７】
従来の倉庫式ラックシステムのため補助的な製品支持及び展示構成を提供することに加えて、本発明は、ユーザーが倉庫式ラック内の垂直及び水平位置の増加した範囲で商品を配置することを可能にするのが好ましい。最も好ましくは、本発明の変換ラックアッセンブリは、ユーザーが、例えば、棚、バケット、バスケット、ハンガー等の商品の展示及び支持要素を、倉庫式ラック内部の垂直、横方向及び前後部の任意数の所望位置に配置することを可能にする。幾つかの好ましい用途では、ユーザーは、２つのレベルの張り材１２により、及び、倉庫式ラックの前部、後部及び側部により形成された領域内の任意の位置にそのような要素を配置することができる。他の好ましい実施例では、ユーザーは、少なくとも、この領域内の一定範囲の位置内にそのような要素を配置することができる。
【００１８】
本発明の変換ラックアッセンブリは、倉庫式ラックそれ自体をかき乱すこと無く、倉庫式ラック内に設置し、除去し、調整することができるのが好ましい。これは、設置、除及び調整を簡単且つ迅速にすることにより、従来の倉庫式ラック及び他のラックシステムに超えたかなりの利点を提供する。また、本発明の変換ラックアッセンブリの調整能力は、それが設置されているより大きい倉庫式ラックのものよりも遙かに大きく、より軽量な小売型式の展示及び格納ラックシステムにおいて提供されるものと同じか又は類似した展示及び格納オプションをユーザーに提供している。
【００１９】
本発明の構成を、倉庫式ラック内に永久的に組み込むことができるが（即ち、そのようなラックと一体に）、取り外し可能な変換ラックアッセンブリは、それがユーザーが購買し、標準的な倉庫式ラックを使用することを可能にすると共に、必要時にのみ変換ラックアッセンブリを設置することを可能にするので、好ましいものである。本発明の別の利点は、変換ラックアッセンブリが、別個の支持構成を要求しないという事実である。その代わりに、本発明の変換ラックアッセンブリは、それが設置されているところの倉庫式ラックの支持及び地面接触構成に頼るのが好ましい。これは、本発明のコスト、複雑さ及び組み立て時間を減少させる。
【００２０】
図１、２及び図３Ａ乃至図３Ｃを参照すると、好ましくは、本発明の補助的な前後部の張り材１６は、倉庫式ラックの側部張り材１２の上に載り、これにより支持されている。補助的な前後部の張り材１６は、任意の形状を持ち、これに限定されるわけではないが、倉庫式ラックの要素を参照して上述されているものを始めとして、好ましくは弾性を持つ任意の所望材料から作ることができる。図１乃至図９Ｃの図示の好ましい実施例では、補助的な前後部の張り材１６は、長方形の断面を有する管状部材である。補助的な前後部の張り材１７の端部は、倉庫式ラックの側部張り材１２の上に載ることができるが、補助的な前後部の張り材１７は、それらの端部でフランジ支持部２８を持つのがより好ましい。これらのフランジ支持部２８は、補助的な前後部の張り材１７のための増大した踏み跡を提供し、従って、倉庫式ラックの張り材１２上で補助的な前後部の張り材１６の安定性を増大させる。フランジ支持部２８は、補助的な前後部の張り材１６の端部に他の任意の従来態様で、溶接され、ボルト止めされ、接続される、平坦若しくは湾曲したプレートとすることができる。フランジ支持部２８は、好ましく増大した踏み跡を提供する他の形状を取り得る。幾つかの非常に好ましい実施例では、補助的な前後部の張り材１６の端部は、倉庫式ラックの側部張り材１２の凹んだリップ部に収まっている。必ずしも要求されているわけではないが、これは、補助的な前後部の張り材１６が、倉庫式ラックの側部張り材１２内に収まることを可能にする。
【００２１】
倉庫式ラック内の補助的な前後部の張り材１６を、任意の従来態様で、例えば、側部張り材１２に、ボルト止めされ、クランプされ若しくはクリップ留めされることにより、側部張り材１２への補助的な前後部の張り材１６のピン及びアパーチャ接続により（例えば、側部張り材１２のアパーチャ内部に移動可能に取り外し可能に収容され、補助的な前後部の張り材１６の端部上に形成されたピン、ポスト、フィンガー部若しくは他の任意の突起部、又は、その逆も可能である）、又は、側部張り材１２内の凹部内部に収容されることにより、側部張り材１２に沿った任意数の所望の位置で保持することができる。
【００２２】
幾つかの代替実施例では、側部張り材１２に沿った所望の位置に、前後部張り材１６を保持するため使用される要素又は構成は、従来のファスナーも、設置するためのツールも必要としない。例えば、図１６乃至図１８Ｃに示されたラックアッセンブリにおける上側前後部張り材１６（詳細は後述される）は、プレート５０上に載っており、該プレート５０は、図１８Ｂに最も良く示されるように、側部張り材１２上に載るように形成されるのが好ましい。これらのプレート５０は、側部張り材１２に沿って任意の長さに延在することができるが、好ましくは、それらが連係した前後部張り材１６の幅と略同じ長さを持っているのが好ましい。プレート５０は、ラックアッセンブリの他の要素のため使用される本明細書で説明された材料の任意のものを始めとして、任意の所望の材料から作ることができる。また、プレート５０（用いられているならば）は、例えば、図１８Ｂに示されるように比較的緊密な又は堅い適合等により任意の所望の態様で、及び／又は、前後部張り材１６と補助的な直立材１８との間の接続を参照して説明された他の任意の態様で、前後部の張り材１６及び／又は側部張り材１２に固定することができる。図１６乃至図１８Ｃの図示の好ましい実施例では、プレート５０は、プレート５０及び前後部張り材１６で整列したアパーチャを通過するねじ形成ファスナーにより、上側の前後部張り材１６に接続されている。
【００２３】
幾つかの好ましい実施例では、補助的な前後部張り材１６は、補助的な前後部の張り材１６（図１、２、６Ａ及び６Ｂを参照せよ）に接続された１つ以上の安定化バー２０により、該張り材１６の間の所望の位置に保持されている。安定化バー２０は、倉庫式ラックの要素を参照して上述されたもののような任意形状及び任意材料を持つことができる。図示の好ましい実施例では、安定化バー２０は、切り込みが付けられ、開口された端部を有する、細長いストリップである。
【００２４】
安定化バー２０の端部は、補助的な前後部の張り材１６の側部のアパーチャ３０内に収容されるのが好ましい（図３Ａを参照せよ）。最も好ましくは、補助的な前後部の張り材１６の側部のアパーチャは、安定化バー２０の切り込み端部と連結するように形成されている。ねじ形成ファスナー、フィンガー部、ピン又は他の要素を、安定化バー２０と補助的な前後部の張り材１６との間の接続を保持するため、それらを補助的な全部及び後部の張り材１６のアパーチャ３０内に挿入した後で、安定化バー２０の端部のアパーチャ３２内に挿入することができる。
【００２５】
安定化バー２０は、ピン及びアパーチャ接続等を用いて、補助的な前後部の張り材１６に取り付けられることにより、又は、ボルト止めされ、クランプされ、スナップ式に適合され若しくはクリップされること等により、幾多の他の従来態様で、補助的な前後部張り材１６に取り外し可能に接続することができる。当業者は、安定化バー２０を補助的な前後部の張り材１６に取り外し可能に接続する他の態様が可能であり、その任意の一つが本発明の精神及び範囲に含まれることを認めるであろう。
【００２６】
図１乃至図９Ｃに示された図示の好ましい実施例では、２つの安定化バー２０が、上述されたように、隣接する補助的な前後部の張り材１６の間で接続されている。安定化バー２０は、各補助的な前後部の張り材１６の各端部に設けられている。しかし、補助的な前後部の張り材１６の長さに沿った任意箇所に配置された任意数の安定化バー０を用いることができ、任意の所望の角度で、補助的な前後部の張り材１６を接続することができることが明記されるべきである。
【００２７】
上述されたように、本発明の変換ラックアッセンブリは、補助的な前後部の張り材１６により支持された補助的な直立材１８を用いている。図１、２、４Ａ及び４Ｂを特に参照すると、補助的な直立材１８は、細長い管状要素であるのが好ましい。補助的な直立材１８は、任意の断面形状を持つことができ、倉庫式ラックアッセンブリの要素を参照して上述されたもののような任意の弾性材料から作ることができる。しかし、好ましくは、補助的な直立材１８は、長方形断面を持ち、互いに対して垂直に間隔を隔てた配列で配置される補助的な前後部の張り材１６の間、即ち、互いに上方及び下方にある前後部の張り材の間に延在する。
【００２８】
補助的な直立材１８の端部は、幾つかのプレート３３により補助的な前後部の張り材１６に接続されるのが好ましい（図４Ａ、４Ｂ及び５を参照せよ）。プレート３３は、補助的な直立材１８と補助的な前後部の張り材１６とのいずれか又は両方と一体成形されるか、又は、例えば溶接、ブレーズ溶接、リベット止め等により永久的に接続されることができる。しかし、プレート３３は、例えば、１つ以上のねじ形成ファスナー、１つ以上の従来クランプ、或いは、補助的な直立材１８及び／又は補助的な前後部の張り材１６等のアパーチャ内に収容されたピン、ポスト若しくはフィンガー部等によって、補助的な直立材１８と、補助的な前後部の張り材１６とに取り外し可能に接続されるのがより好ましい。当業者は、補助的な直立材１８と、補助的な前後部の張り材１６とにプレート３３を永久的且つ取り外し可能に接続する他の態様が存在し、その任意の一つが本発明の精神及び範囲に含まれることを認めるであろう。
【００２９】
本明細書で述べられたような補助的な前後部の張り材１６への接続により、補助的な直立材１８は、補助的な直立材１８に直接若しくは間接的に接続されたパネル又は壁２４（より詳しくは後述する）と、パネル若しくは壁部２４に接続され又は補助的な直立材１８に他の仕方で直接若しくは間接的に接続された、商品展示格納要素と、そのような要素により支持された商品と、の負荷に耐えることができるのが好ましい。補助的な直立材１８の上側及び下側の補助的な前後部の張り材１６への接続は、両方とも、そのような負荷に耐えることができるのが好ましい。その結果として、これらの負荷は、下側の前後部の張り材１６により下方から支持されるだけではなく、上側の補助的な前後部の張り材１６により上方からも支持されるのが好ましい。従って、補助的な直立材１８と、上側及び下側の前後部の張り材１６との間の好ましい負荷耐性接続は、本発明の変換ラック装置の増大した負荷耐性能力をもたらす。補助的な直立材１８と、補助的な前後部の張り材１６との間の唯一の接続部が、かなりの負荷に耐えることができる他の実施例では、変換ラック装置は、減少した負荷耐性能力を持ち得る。補助的な直立材１８の比較的大きい負荷耐性能力が必要とされない幾つかの場合では、各補助的な直立材１８の端部の一つは、補助的な前後部の張り材１６に必ずしも接続される必要はない。
【００３０】
補助的な直立材１８の端部を補助的な前後部の張り材１６に接続するため任意数のプレート３３を使用することができる。図示の好ましい実施例では、各補助的な直立材１８の端部を側面に置き、補助的な前後部の張り材１６を側面に置いている、２つのプレート３３が用いられるのが好ましい。他の実施例では、１つ、３つ、又は、それよりも多い数のプレート３３さえも適宜使用することができる。
【００３１】
プレート３３は、補助的な直立材１８と、補助的な前後部の張り材１６との間の補強結合部を形成するように機能する。補助的な直立材１８と、補助的な前後部の張り材１６との間の取り外し可能な接続部（例えば、これらの要素のいずれか又は両方へのプレート３３の取り外し可能な接続により可能にされる）は、例えば棚部等の他の構成部品の配列に関してかなり多機能性が増大している本発明の変換ラックアッセンブリを提供する。
【００３２】
最初に、補助的な前後部の張り材１６上で平面３３の取り外し可能な接続及び調整能力に関して、この特徴は、補助的な直立材１８を、補助的な前後部の張り材１６の長さに沿った多数のポイントで接続することを可能にし、これにより、ユーザーが、変換ラックアッセンブリの商品の格納及び展示領域の所望の深さを選択することを可能にする。
【００３３】
プレート３３は、幾つかの異なる態様で、補助的な前後部の張り材１６上の多数の位置で調整可能に固定され得る。最も好ましくは、補助的な前後部の張り材１６は、それらの長さに沿って多数のアパーチャ３４を有し（図３Ａ及び図３Ｂを参照せよ）、ねじ形成ファスナー、ピン、ロッド又は他の要素を、該アパーチャ３４を通して、プレート３３の整列したアパーチャ３６を通して通過させることにより、該アパーチャにプレート３３を接続することができる。プレート３３を補助的な前後部の張り材１６に沿った異なるポイントで、補助的な前後部の張り材１６に接続する他の態様は、補助的な直立材１７を補助的な前後部の張り材１６上の適所に取り外し可能に固定するように締め付けることができる、プレート３３上の取り外し可能なクランプや、ラチェット、スプリング付勢ピン、歯、ボール又は他の要素を収容することができるところの補助的な前後部の張り材１６に沿った多数の戻り爪等を含んでいる。そのような補助的な前後部の張り材１６に沿って取り外し可能且つ調整可能な接続の更に他の態様も可能であり、当業者により認知されるところとなろう。
【００３４】
同様に、補助的な直立材１８の一方又は両方の端部上のプレート３３は、上述されたように、補助的な直立材１８に取り外し可能且つ調整可能に接続されるのが好ましい。この特徴は、ユーザーが、本発明の変換ラックが設置されているところの倉庫式ラックの側部張り材１２の間の垂直間隔（即ち高さ）における変動を調整し、これに適合するため、補助的な直立材１８に対するプレート３３の位置を調整することを可能にする。特定の垂直距離（即ち高さ）がそのような側部張り材１２の間で所望されたならば、補助的な垂直直立材１８上のプレート３３の調整は、側部張り材１２を引き離し、移動し、倉庫式ラックの異なる垂直位置へと再接続する、魅力的な時間節約型の代替手段となる。好ましくは、補助的な直立材１８のいずれか一方又はその両方の端部におけるプレート３３は、スロット付きのアパーチャ３８が備え付けられており（図４Ａ参照）、ユーザーが、内部に収容されたねじ形成ファスナーを緩め、プレート３３を補助的な直立材１８上の異なる垂直位置に再配置し、プレート３３をその異なる垂直位置で固定するためねじ形成ファスナーを締め付けることを可能にする。
【００３５】
図１及び図２を引き続いて参照して、補助的な直立材１８が図示の好ましい実施例で補助的な前後部張り材１６に接続されている態様は、本発明で用いることができる幾つかの異なる接続型式の一例にしかすぎないことを明記するべきである。補助的な直立材１８は、補助的な前後部張り材１６と一体成形されるか又はそれに永久的に接続される（例えば、溶接、ブレーズ溶接、リベット止め等により）こと等によって、他の態様で補助的な前後部張り材１６に接続され得る。他の実施例では、補助的な直立材１８の補助的な前後部張り材１６への代替の取り外し可能な接続が可能となる。ほんの一例を挙げると、補助的な直立材１８は、（第２の好ましい実施例の図１０乃至図１２Ｂに示されるように）補助的な前後部張り材１６のアパーチャ４０、ソケット又は他のリセプタクル内部に収容されるように形成された端部を持つことができ、補助的な前後部張り材１６内のねじ形成アパーチャ内に収容されたねじ切り端部を持つことができ、カラー内部、又は、補助的な前後部張り材１６の頂部若しくは側部に任意の従来態様で接続された支持部の間に収容することができ、補助的な前後部の張り材１６に任意の態様で、ボルト止めされ、ピン留めされ、クランプされ、クリップ止めされ、又は、１つ以上の従来のファスナーで固定することができる。
【００３６】
補助的な直立材１８が、補助的な前後部の張り材１６に関して調整可能に配置することができる態様は、これらの要素の間に用いられる接続部の型式に少なくとも部分的に依存する。例えば、取り外し可能なピン又はボルト止めの接続（上述したように、プレート３３の整列アパーチャ及び補助的直立材１８及び／又は補助的な前後部の張り材１６を使用したもの）では、補助的直立材１８及び／又は補助的な前後部の張り材１６の長さに沿った多数のアパーチャが、上述したように選択される。しかし、補助的な直立材１８の端部が補助的な前後部の張り材１６のアパーチャ４０内部に収容される場合には、補助的な前後部の張り材１６に沿って並ぶ多数のアパーチャ４０が選択される。例えばクランプ等の他の従来型ファスナーを用いる更に他の実施例では、補助的な前後部の張り材１６又は補助的な直立材１８上の位置の無限若しくは無限に近い範囲で、ファスナーを固定することができる。補助的な直立材１８を補助的な前後部の張り材１６に取り外し可能且つ調整可能に接続するような態様の全ては、本発明により包含されるものと考えられる。
【００３７】
本発明の変換ラック装置の構造的強度及び安定性を増大させるため、並びに、変換ラック装置内の商品展示及び格納要素を接続するオプションをより多く提供するため、オプションの支持スペーサー２２（図１及び図２）を、隣接する補助的な直立材１８に、及び、該直立材の間に接続することができる。支持スペーサー２２は、変換ラック装置のパネル若しくは壁２４、該パネル若しくは壁２４に接続され又は他の仕方で支持スペーサー２２に直接的若しくは間接的に接続された商品展示及び格納要素、並びに、そのような要素により支持された商品の負荷に耐えるための追加の支持も提供することができる。支持スペーサー２２は、例えば好ましい安定化バー２０等の略平坦な要素、例えば、好ましい補助的な前後部の張り材１６等の管状要素、チャンネル若しくは角度を付けて形成された断面を有する要素、又は、他の所望の中空若しくは中実の断面形状を有する要素とすることができる。加えて、支持スペーサー２２は、例えば、倉庫式ラックの要素を参照して上述されたもの等の任意の弾性材料から作ることができる。
【００３８】
支持スペーサー２２の端部は、図１及び図２に最も良く示されているように、補助的なチャンネル１９のアパーチャ４２内に収容されることにより、隣接する補助的なチャンネル１８に接続されるのが好ましい。支持スペーサー２２の端部を保持することができる限り、任意のパーチャ形状及び協働する支持スペーサーの端部形状を使用することができる。例えば、図１及び図２に示されたような非常に好ましい実施例では、アパーチャ４２は、キー孔に形成され、支持スペーサー２２の曲げられたフランジ付き端部を収容する。図１０に示されたような他の実施例では、補助的なチャンネル１９のアパーチャ４２は、１つ以上のピン若しくはポスト（ヘッド付き又は他の形態）、フィンガー部、又は、支持スペーサー２２の端部から延在し又は該端部と一体成形された他の突起部を収容する。更に他の実施例では、支持スペーサー２２の端部は、従来のガスナー、内部嵌合要素、又は、補助的なチャンネル１８と補助的な前後部の張り材１６との間の接続に関して上述された接続法の任意のものを使用して、補助的な直立材１８に接続される。
【００３９】
幾つかの好ましい実施例では、支持スペーサー２２は、補助的な直立材１８に調整可能に接続され、それにより、補助的な直立材１８の高さに沿った異なる位置に接続することができる。ほんの一例を挙げると、支持スペーサー２２は、図１０に示された第２の好ましい実施例における補助的な直立材１８上の（幾つかの異なる高さにある）アパーチャ４２の任意のものに接続することができる。他の実施例では、補助的な直立材１８上の支持スペーサー２２の接続位置は、補助的な直立材１８の補助的な前後部の張り材１６への好ましい接続の調整能力を参照して上記された態様の任意のもので調整可能となる。
【００４０】
補助的な前後部の張り材１６、補助的な直立材１９、安定化バー２０（使用されている場合）、及び、支持スペーサー２２（使用されている場合）は、好ましくは倉庫式ラックアッセンブリにおける深さ、高さ及び横方向位置の幅広い範囲で、任意の数の異なる商品の展示及び格納要素又は取り付け具を取り付けることができるところの変換ラックアッセンブリの構成を表している。幅広く多岐に亘る従来の商品展示格納要素及び取り付け具は、この構成上に取り付けることができるが（例えば、バスケット、棚、ハンガー、ポスト、パネル、壁等々）、本願では、２つのみが、図示の目的のため記載されている。
【００４１】
パネル又は壁２４は、１つ以上の支持スペーサー２２に接続されることにより、１つ以上の補助的な直立材１８に接続されることにより、及び／又は、１つ以上の補助的な前後部の張り材１６に接続されることにより、変換ラックアッセンブリに接続することができる。支持スペーサー２２に接続されるパネル又は壁の一例が、図１及び図２に示されている。本実施例では、パネル２４は、任意の従来態様で（例えば、溶接、ねじ形成ファスナー、ワイヤ等々）で接続された、ブラケット４３を有する、エキスパンデッドメタルシートである。ブラケット４３は、支持スペーサー２２上にパネル２４を少なくとも部分的に支持するため、支持スペーサー２２と係合するのが好ましい。代替例として、パネル２４は、例えば、パネル２４を通過し、支持スペーサー２２のアパーチャ内に至るボルト等により、支持スペーサー２２に直接固定することができる。他の実施例では、パネル２４の頂部及び／又は底部を、支持スペーサー２２により形成されたチャンネル内に収容することができる（図１０を参照せよ）。変換ラックアッセンブリ内にパネル又は壁２４を取り付ける更に他の態様が可能であり、当業者により認められよう。図１５Ａ及び図１５Ｂに示されるように、パネル又は壁２４は、中実若しくはアパーチャ形成プレート、エキスパンデッドメタル、網状、波形若しくは成形されたパネル、ペグ差し盤、溶接ワイヤ格子等々を始めとした、所望の任意形態を取り得るが、これらに限定されるものではない。
【００４２】
補助的な直立材１８に接続されたパネル又は壁２４の一例も図１０に示されている。本実施例では、パネル又は壁２４は、補助的な直立材１８に接続されたチャンネル４４内に収容されている。チャンネル４４（図１４Ａ及び図１４Ｂを参照せよ）は、補助的な直立材１８のフランジより形成することができ、又は、補助的な直立材１８への支持スペーサー２２の接続を参照して上述された態様のうち任意のもので補助的な直立材１９に接続することもできる。図１０に示された好ましい実施例では、チャンネル４４は、補助的な直立材１８のアパーチャ４２内に収容された、チャンネル４４上のヘッド付きポストにより補助的な直立材１８に接続されている（又は、その逆も可能である）。代替例として、パネル又は壁２４は、ピン、ポスト、フィンガー部、又は、補助的な直立材アパーチャ４２内に収容された他の突起部を備え付けることができる（図１５Ｂを参照せよ）。更に他の実施例では、パネル又は壁２４を、パネル若しくは壁２４と支持スペーサー２２との間の接続を参照して上述されたものに類似した態様で、補助的な直立材１８に固定することができる。
【００４３】
本発明のラックアッセンブリ内でパネル又は壁２４を固定するための別の態様が、図２２乃至図２４に示されている。詳しくは、図２２乃至図２４は、パネル又は壁２４を補助的な直立材１８に如何に接続することができるかの別の例を提供する。本実施例では、パネル又は壁２４は、棚部及び他の商品展示及び格納要素が接続されているところと同じ接続特徴又は要素を使用して、補助的な直立材１８に固定されている。
【００４４】
引き続いて図２２乃至図２４を参照する。ワイヤラックパネル２４は、垂直チャンネル４４と水平支持スペーサー２２とにより形成されたフレーム内に収容されるのが好ましい。垂直チャンネル４４及び水平支持スペーサー２２は、任意の従来態様で接続することができ、図示の好ましい実施例では、支持スペーサー２２から垂直チャンネル４４へと延在する挿入体５２（詳細は後述される）により一緒に接続されている。代替例として、垂直チャンネル４４は、溶接、ブレーズ溶接、他の内部嵌合要素、ボルト、ねじ、くぎ、ピン、ポスト、クリップ、クランプ、及び、他の従来型ファスナー等々により支持スペーサー２２に接続することができる。
【００４５】
支持スペーサー２２及び／又は垂直チャンネル４４は、支持スペーサー２２を垂直チャンネル４４に接続するため説明された態様のうち任意のもので補助的な直立材に固定されるのが好ましい。しかし、より好ましくは、例えばボルト、ねじ、又はピン等の従来型ファスナーが、支持スペーサー２２のアパーチャ、及び／又は、補助的な直立材１８のアパーチャと整列した垂直チャンネル４４のアパーチャを通して挿入される。幾つかの非常に好ましい実施例では、支持スペーサー２２及び垂直チャンネル内の多数のアパーチャは、パネル又は壁２４を、補助的な直立材１８上の異なる位置で所望の通りに固定することを可能にする。例えば、図２２及び図２３に示された壁２４は、この取り付けの多用途性を実証するように、センターから外れた位置で補助的な直立材１８に取り付けられている。
【００４６】
当業者は、壁又はパネル２４が、幾つかの異なる態様で任意数の補助的な直立材１８に取り付けることができ、そのうちの一部分だけが、チャンネル４４、横方向に延びる支持スペーサー２２及び他のフレーム型要素を用いていることを認めるであろう。代替として、壁又はパネル２４を補助的な直立材１８に直接又は間接的に接続する他の任意の態様を、所望の通りに用いることができる。
【００４７】
幾つかの実施例では、補助的なスペーサー２２は、異なる高さで補助的な直立材１８に接続することができるので、並びに、補助的な直立材１８は、他の要素の異なる高さでの接続を可能にするので、パネル、他の商品展示格納要素、及び取り付け具の配置は、任意数の小売環境の必要性即ち要求に合致させるべく幅広い範囲の形態を提供するため、ユーザーにより要求されたように更に調整することができる。
【００４８】
本発明に関連して使用することができる、商品展示及び格納要素の別の例は、棚部の構成である。本発明の変換ラックアッセンブリに接続することができる棚部の例を示す、図８Ａ乃至図８Ｅを参照すると、棚部を、補助的な直立材１８に接続し、又は、補助的な直立材１８に接続されたパネル若しくは壁２４に接続できることがわかる。図示の好ましい実施例では、棚部２６は、１つ以上の歯、フィンガー部、又は、補助的な直立材１８、パネル若しくは壁２４のアパーチャ４６と嵌合することができる他の突起部を持つことができる。そのような棚接続及び代替手段は、当業者に周知されており、従って本明細書ではこれ以上説明しない。しかし、調整能力の目的のため、補助的な直立材１８及び／又はパネル若しくは壁２４は、棚部２６が所望の通りに接続することができる、幅広い範囲の位置を可能にするためそれらの長さに沿って多数のアパーチャを持つのが好ましい。図１及び図８Ｅを参照すると、例えば、限定された数の補助的な直立材アパーチャ４６に設置するように構成され、倉庫式ラックの側部張り材１２からの支持を必要としない、図８Ｅに示された底棚部等のように、幾つかの棚部２６を、倉庫式ラック内の特定の位置における設置を可能にするように構成することができる。加えて、補助的な直立材１８の横方向の調整能力は、任意数の異なる長さの棚部及び取り付け具の使用を可能にし、変換ラックアッセンブリの多用途性に寄与する。かくして、棚部及び他の型式の小売展示格納取り付け具を、異なる小売及び格納環境の必要性に合致させるため任意の所望の形態の回りに、垂直及び横方向に配列することができる。
【００４９】
更に他の商品展示格納要素を、本発明の変換ラックアッセンブリに取り付けることができる。最も好ましくは、これらの商品展示格納要素は、倉庫式ラック内の横方向、深さ及び高さ位置の範囲で上述したように調整可能に取り付けることができ、これにより、現存する倉庫式ラックに、かなり向上した順応性及び適合能力を提供する。
【００５０】
上述したような本発明の様々な特徴及び構成を、異なる度合いの簡単さ、調整能力及び多用途性を有するラックアッセンブリをもたらすため、所望された任意の組み合わせで用いることができる。例えば、図１６に示された実施例では、ラックアッセンブリは、前後部の張り材１６、補助的な直立材１８及び安定化バー２０等を始めとして上述したものと同じ構成部品の多くを用いるが、補助的な直立材１８と前後部の張り材１６との間に異なる接続態様を用いている。詳しくは、補助的な直立材１８は、アパーチャ４８を持ち、該アパーチャを通って、前後部の張り材１６が、該前後部の張り材１６を補助的な直立材１８に接続するため延在している（図１７乃至図１８Ｃも参照せよ）。この嵌合関係は、ラックアッセンブリのため十分な強度を提供することができるが、前後部張り材１６と補助的な直立材１８とを、１つ以上のねじ、ボルト、くぎ、リベット、クリップ、クランプ、ピン及び他の従来のファスナーにより、補助的な直立材１８内部の前後部の張り材１６とスナップ式若しくは割り込み式に適合することにより、任意の従来態様でこの関係で固定することができる。
【００５１】
当業者は、補助的な直立材１８と前後部の張り材１６とを相互接続する他の態様を用いることができ、該態様は本発明の精神及び範囲内に含まれることを認めるであろう。例えば、補助的な直立材１８は、前後部張り材１６のアパーチャを通って延在することができる。代替手段として、補助的な直立材１８は、前後部張り材１６に配置された、ノッチ、凹部又は他のアパーチャ内に収容することができ（その逆も可能である）、これらの要素の間で他の型式の内部係合を画定する。補助的な直立材１８と前後部張り材１６との間の内部嵌合の型式に少なくとも部分的に応じて、これらの要素は、所望の通りに互いに対して調整可能となる。例えば、図１６乃至図１８Ｃの好ましい実施例における前後部の張り材１６は、ラックアッセンブリの深さを変えるため補助的な直立材１８のアパーチャの異なる位置に摺動させることができる。
【００５２】
引き続いて図１６乃至図１８Ｃに示されたラックアッセンブリを参照すると、前後部の張り材１６と、上記した補助的な直立材１８との間の接続の態様は、任意に接続された前後部張り材１６と補助的な直立材１８との間で用いることができる。ほんの一例を挙げると、図１６乃至図１８Ｃに示された本発明の実施例を参照すると、上側及び下側の前後部の張り材１６の両方が、補助的な直立材１８内のアパーチャを通して収容されている。他の実施例では、前後部の張り材のうち幾つかがこの態様で接続されている。他の前後部張り材１６は、前述した実施例を参照して上述された他の態様のうち任意の態様で補助的な直立材１８に接続されている。
【００５３】
なお、同じ補助的な直立材１８を、任意数の前後部の張り材１６に接続することができる。２つのレベルのラックアッセンブリでは、各補助的な直立材１８を、頂面の前後部張り材１６、底面の前後部張り材１６及び（より好ましくは、）頂面及び底面の両方の前後部張り材１６に接続することができる。他の実施例では、補助的な直立材１８に沿った異なる垂直位置でアパーチャ４８を通って延在する多数の前後部張り材１６等の３つ以上の前後部張り材１６に、補助的な直立材を接続することができる。任意の所望数の前後部張り材１６を補助的な直立材１９に接続するこの能力は、本発明の順応性及び多用途性をかなり増大させる。これら及び他の実施例では、補助的な直立材１８は、それらが接続されているところの前後部張り材１６で終わる必要はない。代替として、補助的な直立材１８は、そのような前後部張り材１６の上方及び／又は下方に延在することができ、幾つかの場合には、更なる支持スペーサー２２、安定化バー２０、パネル若しくは壁２４、棚部２６、他の商品展示格納要素、及び、他の構成及び要素を所望の通りに取り付けることを可能にする。ほんの一例を挙げると、図１６乃至図１８Ｃに示された補助的な直立材１８は、追加の棚部又は他の要素の取り付けのため、上側の前後部張り材１６の上方に垂直に延在する。
【００５４】
本発明の幾つかの実施例では、補助的な前後部張り材１６の各々は、倉庫式ラックの側部張り材１２の間に延在し、該張り材により支持されている。しかし、必ずしも全ての前後部張り材１６が、倉庫式ラックの側部張り材１２とこの関係を持つことを必要としているわけではない。幾つかの場合には、前後部張り材１６の全てではない一部が倉庫式ラックの側部張り材１２により支持されている。
【００５５】
例えば、図１６に示された実施例における上側の前後部張り材１６は、倉庫式ラックの上側側部張り材１２の上方に配置され、追加の支持部無しに、上側の前後部張り材１６上に配置された負荷を支持するため補助的な直立材１９により十分に支持されている。前後部の張り材１６と補助的な直立材１８との間のこの種の関係は、組み立て者が、倉庫式ラックの側部張り材１２の位置から独立に補助的な直立材１９に沿った異なる位置に前後部張り材１６（このため、棚部２６とこれにより支持される他の構成部品）を配置することを可能にし、これにより、本発明の多用途性を更に向上させる。この点において、図１６乃至図１８Ｃの好ましい実施例で示された多数のアパーチャ４８を、倉庫式ラックで２つ以上の異なる高さに補助的な前後部張り材１６を接続するため補助的な直立材１９に形成することができる。類似した多用途性は、補助的な直立材１８が本明細書で記載された他の態様の任意の態様で補助的な前後部張り材１６に接続されるところの実施例で利用可能となる。
【００５６】
補助的な前後部張り材１６の全てではない一部が、倉庫式ラックの側部張り材１２により直接支持されている本発明の実施例では、この態様では支持されていない補助的な前後部張り材１６により伝達される負荷が、同じ補助的な直立材１８上の１つ以上の他の補助的な前後部張り材１６により伝達されるのが好ましい。例えば、図１６を引き続いて参照すると、上側の２次前後部張り材１６は、補助的な直立材１８により支持されており、該補助的な直立材は、下側倉庫式ラックの側部張り材１２により支持されている。倉庫ラックの、補助的な前後部張り材１６及び側部張り材１２の負荷耐性能力を受けて、任意数の補助的な前後部張り材１６を所望のこの態様で指示することができる。加えて、倉庫ラック張り材１２により直接には支持されていない補助的な前後部張り材１６は、同じ補助的な直立材１９上の他の前後部張り材１６により、上方及び／又は下方から支持することができる。
【００５７】
本発明の幾つかの実施例は、上述され、図面に示されたような倉庫式ラックの側部張り材１２の間に延在してその上に載っている補助的な前後部張り材１６を用いているが、補助的な前後部張り材１６を、直立材１０及び／又は倉庫式ラックの前後部張り材１４によって、上記に加えて又は代替で、直接支持することもできる。この点において、幾つかの代替実施例における補助的な前後部張り材１６を、直立材１０及び／又は前後部張り材１４に接続することができる。
【００５８】
上記のような実施例の一例が図１９乃至図２１に示されている。本実施例では、前後部張り材１６は、倉庫式ラックの直立材１０に直接接続されるのが好ましい。前後部張り材１６は、図２１に最も良く示されるように略Ｌ字形状であるが、本発明の他の実施例を参照して上述された他の形態の任意のものを代わりに採用することができる。前後部張り材１６は、前後部張り材１６及び直立材１０内のアパーチャを通過させられた従来のファスナーにより直立材１０上の所望の垂直位置で接続されるのが好ましい。しかし、用いられる直立材１０の種類に少なくとも部分的に応じて、前後部張り材１６及び補助的な直立材１８の間の接続を参照して上述された接続態様を始めとした他の任意の態様で、前後部張り材１６を、直立材１０に接続することができる。幾つかの非常に好ましい実施例では、前後部張り材１６のピン若しくはヘッド付きポストは、倉庫式ラックの直立材１０のアパーチャ内部に収容される（その逆も可能である）。好ましくは、ピン、ヘッド付きポスト又は他のファスナーは、直立材１０のアパーチャ内に横方向に延在する（その逆も可能である）。直立材１０の前面若しくは後面、又は直立材１０の外側面等への接続等、そのような接続を確立する他の態様も可能である。
【００５９】
幾つかの用途では、上述されたように、補助的な前後部張り材１６を直立材１０に取り付けることにより、有利な利点を達成することができる。引き続いて、図１９乃至図２１に参照されるように、例えば補助的な前後部張り材１６は、好ましくは、直立材１０に沿った異なる垂直位置に接続することができる。これは、ユーザーが、倉庫式ラックの側部張り材１２の位置から独立に、そのような実施例に係るモジュール式ラック変換アッセンブリを、倉庫式ラックの異なる垂直位置に設置することを可能にする。この点において、補助的な前後部張り材１６は、倉庫式ラックの側部張り材１２の上に載って支持される必要がない。従って、本発明のそのような実施例は、倉庫式ラック内に設置された本発明の配置に関してかなり大きな順応性を提供することができる。幾つかの実施例では、本発明に係るアッセンブリは、倉庫式ラック内の幾つかの異なる高さで設置することができ、倉庫式ラックの同じ区分で交互に配置することさえできる。
【００６０】
図１９乃至図２１に示されたような本発明の実施例により提供される別の利点は、標準化されたラック構成部品（例えば、棚部）の接続を受け入れるようにアッセンブリを適合する能力である。ほんの一例を挙げると、幾つかの用途では、そのような標準化されたラック構成部品は、標準化された距離（側部張り材１２の長さにより形成することができる）で間隔を隔てた倉庫式ラック直立材内部でその間に収容されるように寸法が定められている。そのようなラック構成部品を本発明のアッセンブリに接続するため、補助的な直立材１８を、倉庫式ラックの直立材１０の内側面及び外側面により形成された平面の間に少なくとも部分的に配置することができる。この態様において、標準サイズを有する、棚部及び他のラック構成部品を、アッセンブリ、構成部品又は倉庫式ラックへの変更無しに、本発明のアッセンブリになおも迅速に接続することができる。必ずしも要求されているわけではないが、そのような実施例における補助的なスペーサー２２は、図２１に示されるように補助的な前後部張り材１６を横方向に越えて延在することができる（特に、そのような補助的なスペーサー２２が、補助的な前後部張り材１６の外側面の間の距離よりも長い標準化された寸法を持つ場合）。
【００６１】
図１９乃至図２１に示された本発明の実施例は、補助的な直立材１８が上述されたように補助的な前後部張り材１６に接続することができる代替態様の一例を提供する。図１９乃至図２１の実施例では、フレームが補助的な直立材１８及び支持スペーサー２２により画定される。より詳しくは、各補助的な直立材１８の底部及び頂部は、隣接する補助的な前後部張り材１６の間に延在してこれに接続される支持スペーサー２２に接続されている。補助的な直立材１８は、支持スペーサー２２から補助的な直立材１８の端部へと延在する挿入体５２を収容することにより、支持スペーサー２２に接続されるのが好ましい（図２５参照）。挿入体５２は、溶接、ブレーズ溶接、接着剤又は凝結材料等により支持スペーサー２２に固定されるフランジ付き部材であるのが好ましい。幾つかの実施例では、挿入体５２を、他の任意の態様で（例えば、従来のファスナー、スナップ式適合、内部係合要素等々）支持スペーサー２２に接続することができ、支持スペーサーと一体に形成することさえもできる。代替例として、挿入体５２を、補助的な直立材１８に固定し又は一体成形することができ、支持スペーサー２２のアパーチャと嵌合する状態に延在させることができる。例えば、挿入体５２は、補助的な直立材１８から支持スペーサー２２の端部へと延在させることができる。
【００６２】
挿入体５２（もし用いられるならば）が補助的な直立材１８及び／又は支持スペーサー２２へと延在するとき、挿入体５２は、補助的な直立材１８と支持スペーサー２２との間の固定接続のためそれらの嵌合アパーチャへとピッタリと適合することができる。所望ならば、これらの要素は、ファスナー、溶接、ブレーズ溶接、接着剤若しくは凝結材料により、又は、他の任意の態様で、更に一緒に固定することができる。
【００６３】
図１９乃至図２１に示されたラックアッセンブリの実施例は、補助的な直立材１９を支持スペーサー２２に接続するため挿入体５２を用いる。この接続態様は、非常に好ましいが、図１乃至図９Ｃに示された実施例における補助的な直立材１８と支持スペーサー２２との間の接続を参照して上述された実施例のうち任意のもので代用させることができる。図２１に示された接続型式により提供された魅力的な特徴は、ラックアッセンブリと、補助的な直立材１８及び支持スペーサー２２により少なくとも部分的に形成されるパネル又は壁２４のためのフレームとを迅速且つ容易に組み立てる能力である。
【００６４】
引き続いて図２５を参照されるように、パネル又は壁２４は、補助的な直立材１８及び／又は支持スペーサー２２内のチャンネル内に収容されることにより、補助的な直立材１８及び支持スペーサー２２内に接続されることができる。代替例として、パネル又は壁２４は、例えば従来型ファスナーを用いて又は上述された他の態様で、ラックアッセンブリ内に他の態様で固定することができる。所望ならば、任意数の中間補助的直立材１８を、他の実施例におけるこれらの要素の間の接続を参照して上述される態様のうち任意のもので支持スペーサー１９に接続することができる。例えば、図２６では、中間補助的直立材１８は、好ましくは、上述されたような挿入体５２により上側及び下側の支持スペーサー２２に取り付けられる。多数のパネル又は壁２４を、上述されたような態様の任意のもので壁アッセンブリに固定することができる。
【００６５】
図１９乃至図２１に示されたラックアッセンブリの幾つかの好ましい実施例では、補助的な直立材１８及び支持スペーサー（使用されたならば）の位置が調整可能となる。詳しくは、補助的な直立材１９と支持スペーサー２２とを、前後部張り材１６に沿った異なる位置に配置することができる。図１９及び図２１を特に参照すると、支持スペーサー２２のフランジ５２は、アパーチャ５６が設けられており、前後部張り材１６に沿った異なる所望の位置に固定することができる。この点において、前後部張り材１６は、支持スペーサー２２及び補助的直立材１８を前後部張り材に沿った異なる位置で前後部張り材１６に接続するため、それらの長さの少なくとも一部分に沿ってアパーチャ５４を形成することができる。好ましくは、この接続は、例えばボルト又はねじ等のねじ形成ファスナーを、前後部張り材１６及び支持スペーサー２２内の整列アパーチャ５４，５６を通して通過させることにより、実行される。ボルト又はねじへの代替手段には、ピン、ポスト、リベット及び他の従来型ファスナーが含まれるが、これらに限定されるものではない。しかし、最も好ましくは、ファスナーは、前後部張り材１６に関する支持スペーサー２２及び補助的な直立材１８の位置の調整を可能にするため解放可能とするのがよい。
【００６６】
支持スペーサー２２上のアパーチャ付きフランジは、支持スペーサー２２を補助的な前後部張り材１６に接続する（より好ましくは、調整可能に接続する）従来の態様を提供する。しかし、当業者は、支持スペーサー２２が、幾つかの他の態様で補助的な前後部張り材１６に接続することができることを認めるであろう。また、代替として、補助的な直立材１８を、図１９乃至図２１に示されたラックアッセンブリに関する代替実施例において補助的な前後部張り材１６に接続することができる（補助的な直立材の端部上の挿入体５２が、支持スペーサー２２の端部へと横方向に延在し、補助的な直立材１９が補助的な前後部張り材１６に直接接続されるように、より良く配置されている要素の配列を提供するような場合）。いずれの場合にも、補助的な直立材１９及び／又は支持スペーサー２２は、図１乃至図９Ｃに示された実施例を参照して上述された任意の態様で補助的な前後部張り材１６に接続することができる。
【００６７】
上記のように、図１９乃至図２１に示された補助的な前後部張り材１６は、好ましくは、倉庫式ラックアッセンブリの直立材１０に接続され、より好ましくは、直立材１０に沿った異なる垂直位置で直立材１０に接続されることができる。代替実施例では、図１９乃至図１に示された補助的な前後部張り材１６は、図１乃至図１８Ｃの実施例を参照して上述されたものを含む任意態様で、倉庫式ラックアッセンブリの側部張り材１２により（幾つかの場合には、側部張り材に接続することもできる）支持される。
【００６８】
幾つかの実施例では、図１９乃至図２１に示された補助的な前後部張り材１６は、倉庫式ラックの前後部張り材１４により置き換えられる。そのような実施例では、補助的な直立材１８は、補助的な直立材１８及び補助的な前後部張り材１６の間の接続を参照して上述された態様の任意のもので、前後部張り材１４に接続されることができる（より好ましくは、前後部張り材１４に調整可能に接続されることができる）。
【００６９】
上記したように、補助的な直立材１８は、補助的な前後部張り材１６というよりも倉庫式ラックの前後部張り材１４に接続されることができる。しかし、幾つかの実施例では、１つ以上の補助的な直立材１９は、倉庫式ラックの前後部張り材１４に接続され、１つ以上の他の補助的な直立材９は、補助的な前後部張り材１６に接続される。例えば、図２１に示された左側にある上側及び下側の前後部張り材は、上述されたような補助的な前後部張り材１６であってもよく、図２１に示された右側にある上側及び下側の前後部張り材は、倉庫式ラックの前後部張り材１４であってもよい（その逆も可能である）。本発明の精神及び範囲内に含まれる、他の張り材の組み合わせも可能である。
【００７０】
図示の好ましい実施例では、倉庫式ラックの入口仕切り部が、本発明の変換ラック装置により「変換された状態」で示されている。しかし、倉庫式ラックの任意の位置部分が、この態様で変換することができることが明記されるべきである。例えば、ユーザーは、本発明にかかる変換ラックを、倉庫式ラックの全体的な仕切り部のうち半分、三分の一又は四分の一だけ組み立てることを望むことができる。補助的な前後部張り材１６及び補助的な直立材１９の数及び配置、並びに、安定化バー２０、支持スペーサー２２及び（使用するならば）パネル若しくは壁２４の長さを選択することによって、倉庫式ラックの仕切り部の任意の一部分を上記したように変換することができる。上記した利点に加えて、このことは、倉庫式ラックのスペースの使用において、より高い順応性をユーザーに提供する。
【００７１】
添付の請求の範囲で使用されるように、用語「連結された」は、一つの要素が別の要素に締め付けられ、固定され又は他の仕方で取り付けられることを必ずしも意味するものではない。用語「連結された」は、１つの要素が、別の要素の上に載り、係合し、接触し、又は、機械的に連絡した状態にある、要素間関係を包含している。
【００７２】
上述し図面に示された実施例は、ほんの一例としてのみ与えられたものであり、本発明のコンセプト及び原理をこれに限定するものではない。かくして、要素、それらの形態及び配列における様々な変更が、添付された請求の範囲に記載された本発明の精神及び範囲から逸脱すること無く可能となることを当業者は認めるであろう。
【図面の簡単な説明】
【００７３】
【図１】図１は、部分的に組み立てられ、棚部が設置されていない状態で示された、本発明の第１の好ましい実施例に係るラックアッセンブリの斜視図である。
【図２】図２は、図１に示されたラックアッセンブリの様々な要素の分解斜視図である。
【図３】図３Ａ乃至図３Ｃは、各々、図１及び図２に示された張り材の側面図、頂面図、及び、端面図である。
【図４】図４Ａ及び図４Ｂは、各々、図１及び図２に示された直立材の側面図及び前面図である。
【図５】図５は、図１及び図２に示されたポストプレートの前面図である。
【図６】図６Ａ及び図６Ｂは、各々、図１及び図２に示された安定器の頂面図及び側面図である。
【図７】図７Ａ及び図７Ｂは、各々、図１及び図２に示された支持スペーサーの側面図及び端面図である。
【図８】図８Ａ乃至図８Ｅは、各々、図１及び図２に示されたラックアッセンブリに関連して使用される棚部の頂面図及び側面図である。
【図９】図９Ａ乃至図９Ｃは、各々、図１及び図２に示されたパネルの前面図及び２つの詳細な図である。
【図１０】図１０は、本発明の第２の好ましい実施例に係る、部分的に組み立てられた状態のラックアッセンブリの斜視図である。
【図１１】図１１Ａ乃至図１１Ｄは、各々、図１０に示された張り材の、斜視図、頂面図、側面図及び端面図である。
【図１２】図１２Ａ及び図１２Ｂは、各々、図１０に示された直立材の前面図及び側面図である。
【図１３】図１３Ａ乃至図１３Ｃは、各々、図１０に示されたパネルリテイナーの斜視図、側面図及び断面図である。
【図１４】図１４Ａ及び図１４Ｂは、各々、図１０に示された別のパネルリテイナーの後部斜視図及び側面図である。
【図１５】図１５Ａ及び図１５Ｂは、図１０に示されたラックアッセンブリと関連して使用される２種類のパネルの斜視図である。
【図１６】図１６は、本発明の第３の実施例に係る、部分的に組み立てられたラックアッセンブリの分解斜視図である。
【図１７】図１７は、図１６に示されたラックアッセンブリの斜視詳細図である。
【図１８】図１８Ａ乃至図１８Ｃは、図１６に示されたラックアッセンブリの側面詳細図である。
【図１９】図１９は、本発明の第４の実施例に係るラックアッセンブリの側面図である。
【図２０】図２０は、図１９に示されたラックアッセンブリのサブアッセンブリの側面図である。
【図２１】図２１は、図１９に示されたラックアッセンブリのサブアッセンブリの斜視図である。
【図２２】図２２は、補助的な直立材に設置された状態で示された、本発明の好ましい実施例に係る、壁サブアッセンブリの前面図である。
【図２３】図２３は、図２２に示された壁アッセンブリ及び２次直立材の頂面図である。
【図２４】図２４は、図２２に示された壁アッセンブリの分解斜視図である。
【図２５】図２５は、図１９に示された壁アッセンブリの単一パネル区分の分解斜視図である。
【図２６】図２６は、図１９に示された壁アッセンブリの二重パネル区分の分解斜視図である。
【図１】
2005532237.tif 000003
【図２】
2005532237.tif 000004
2005532237.tif 000005
2005532237.tif 000006
【図５】
2005532237.tif 000007
2005532237.tif 000008
2005532237.tif 000009
2005532237.tif 000010
2005532237.tif 000011
2005532237.tif 000012
【図１０】
2005532237.tif 000013
2005532237.tif 000014
2005532237.tif 000015
2005532237.tif 000016
2005532237.tif 000017
2005532237.tif 000018
2005532237.tif 000019
【図１６】
2005532237.tif 000020
【図１７】
2005532237.tif 000021
2005532237.tif 000022
【図１９】
2005532237.tif 000023
【図２０】
2005532237.tif 000024
【図２１】
2005532237.tif 000025
【図２２】
2005532237.tif 000026
【図２３】
2005532237.tif 000027
【図２４】
2005532237.tif 000028
【図２５】
2005532237.tif 000029
【図２６】
2005532237.tif 000030
【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
倉庫ラックに設置するための倉庫ラック変換アッセンブリであって、
前記倉庫ラックは、該倉庫ラックの前部から後部までの深さを持つと共に、
横方向に配置された側部と、
表面上に支持された複数の直立材と、
前記複数の直立材に連結され且つ該直立材の間に延在する、複数の側部張り材と、
前記複数の直立材に連結され且つ該直立材の間に延在する、複数の前後部張り材と、を有し、
前記倉庫ラック変換アッセンブリは、
下側の補助的前後部張り材であって、該下側の補助的前後部張り材の両端部で前記倉庫ラックの側部張り材に連結されるように構成され、該下側の補助的前後部張り材の両端部は前記倉庫ラックの異なる深さで配置され、且つ、該下側の補助的前後部張り材は、前記倉庫ラックの前後部張り材の間に配置された、前記下側の補助的前後部張り材と、
前記下側の補助的前後部張り材よりも高い位置に配置された上側の補助的前後部張り材であって、該上側の補助的前後部張り材の両端部で前記倉庫ラックの側部張り材に連結されるように構成され、且つ、前記倉庫ラックの前後部張り材の間に配置された、前記下側の補助的前後部張り材と、
前記下側の補助的前後部張り材及び前記上側の補助的前後部張り材の間に延在し、且つ、これらの張り材により支持された補助的直立材と、
を備える、倉庫ラック変換アッセンブリ。  
【請求項２】
前記アッセンブリは、重量を有し、負荷に耐え、
前記アッセンブリの前記重量及び負荷は、前記倉庫ラックによって完全に保持される、請求項１に記載の倉庫ラック変換アッセンブリ。
【請求項３】
前記上側及び下側の補助的前後部張り材は、前記倉庫ラックの異なる横方向位置に調整可能である、請求項１に記載の倉庫ラック変換アッセンブリ。
【請求項４】
前記倉庫ラックは、前記倉庫ラックの前部及び後部の間で画定された深さを有し、
前記補助的直立材は、前記倉庫ラック内の異なる深さで前記上側及び下側の補助的前後部張り材に調整可能に接続可能となる、請求項１に記載の倉庫ラック変換アッセンブリ。
【請求項５】
前記補助的直立材は、前記上側の補助的前後部張り材の上方に延在する、請求項１に記載の倉庫ラック変換アッセンブリ。
【請求項６】
前記下側の補助的前後部張り材は、第１の下側補助的前後部張り材であり、前記上側の補助的前後部張り材は、第１の上側補助的前後部張り材であり、前記補助的直立材は、第１の補助的直立材であり、
前記倉庫ラック変換アッセンブリは、
第２の下側補助的前後部張り材であって、該第２の下側補助的前後部張り材の両端部で前記倉庫ラックの側部張り材に連結されるように構成され、前記倉庫ラックの前後部張り材の間に配置され、且つ、前記第１の下側補助的前後部張り材から横方向に間隔を隔てられた、前記第２の下側補助的前後部張り材と、
前記第２の下側補助的前後部張り材よりも高い位置に配置された第２の上側補助的前後部張り材であって、該第２の上側補助的前後部張り材の両端部で前記倉庫ラックの側部張り材に連結されるように構成され、前記倉庫ラックの前後部張り材の間に配置され、且つ、前記第１の上側補助的前後部張り材から横方向に間隔を隔てられた、前記第２の上側補助的前後部張り材と、
前記第２の上側補助的前後部張り材及び前記第２の下側補助的前後部張り材の間に延在し、且つ、これらの張り材により支持された第２の補助的直立材と、
を備える、請求項１に記載の倉庫ラック変換アッセンブリ。
【請求項７】
前記第１及び第２の補助的直立材に連結され、且つ、これらの直立材の間に延在する、梁部を更に備える、請求項６に記載の倉庫ラック変換アッセンブリ。
【請求項８】
前記梁部に連結された壁パネルを更に備える、請求項７に記載の倉庫ラック変換アッセンブリ。
【請求項９】
前記第１及び第２の補助的直立材に連結され、且つ、これらの直立材により支持される、棚部を更に備える、請求項６に記載の倉庫ラック変換アッセンブリ。
【請求項１０】
前記棚部は、前記第１及び第２の補助的直立材において異なる高さに調整可能である、請求項９に記載の倉庫ラック変換アッセンブリ。
【請求項１１】
前記第１及び第２の下側補助的前後部張り材に連結され、且つ、これらの張り材の間に延在する、梁部を更に備える、請求項６に記載の倉庫ラック変換アッセンブリ。
【請求項１２】
前記補助的直立材に連結され、且つ、該直立材により支持される、棚部を更に備える、請求項１に記載の倉庫ラック変換アッセンブリ。
【請求項１３】
前記棚部は、前記補助的直立材において異なる高さに調整可能である、請求項１２に記載の倉庫ラック変換アッセンブリ。
【請求項１４】
倉庫ラックに設置するための倉庫ラック変換アッセンブリであって、
前記倉庫ラックは、該倉庫ラックの前部から後部までの深さを持つと共に、前後及び後部の直立材を備え、該前部の直立材は、上側及び下側の前側部張り材により一緒に連結され、該後部の直立材は、上側及び下側の後側部張り材により一緒に連結され、前記倉庫ラックは、該倉庫ラックの前記前後及び後部の直立材の間で画定された深さを有しており、
前記倉庫ラック変換アッセンブリは、
前記倉庫ラックの異なる深さで両端部を有する第１の上側前後部張り材であって、前記ラックの前記上側の前側部張り材と前記上側の後側部張り材とにより支持され、これらの張り材の間に延在する、前記第１の上側前後部張り材と、
前記倉庫ラックの異なる深さで両端部を有する第２の上側前後部張り材であって、前記第１の上側前後部張り材から横方向に間隔を隔てられ、前記ラックの前記上側の後側部張り材と前記上側の後側部張り材とにより支持され、これらの張り材の間に延在する、前記第２の上側前後部張り材と、
前記倉庫ラックの異なる深さで両端部を有する第１の下側前後部張り材であって、前記ラックの前記下側の前側部張り材と前記下側の後側部張り材とにより支持され、これらの張り材の間に延在する、前記第１の下側前後部張り材と、
前記倉庫ラックの異なる深さで両端部を有する第２の下側前後部張り材であって、該第２の下側前後部張り材は、前記第１の下側前後部張り材から横方向に間隔を隔てられ、前記ラックの前記下側の後側部張り材と前記下側の後側部張り材とにより支持され、これらの張り材の間に延在すると共に、前記上側及び下側の前後部張り材は、重量を有し、負荷を保持し、該上側及び下側の前後部張り材の重量及び負荷は、前記倉庫ラックの前記前側部張り材及び後側部張り材とにより少なくとも部分的に保持される、前記第２の下側前後部張り材と、
前記第１及び第２の上側前後部張り材と、前記第１及び第２の下側前後部張り材とにより支持され、これらの張り材の間で延在する、第１及び第２の補助的直立材と、
倉庫ラック変換アッセンブリ。
【請求項１５】
前記第１及び第２の補助的直立材は、前記倉庫ラック内の前部直立材と後部直立材との間で複数の異なる深さに調整可能となる、請求項１４に記載の倉庫ラック変換アッセンブリ。
【請求項１６】
前記アッセンブリは、重量を有し、負荷に耐え、
前記アッセンブリの前記重量及び負荷は、前記倉庫ラックによって完全に保持される、請求項１４に記載の倉庫ラック変換アッセンブリ。
【請求項１７】
前記第１及び第２の補助的直立材は、前記第１及び第２の上側前後部張り材に沿った異なる位置に、該第１及び第２の上側前後部張り材に調整可能に接続可能となり、
前記第１及び第２の補助的直立材は、前記第１及び第２の下側前後部張り材に沿った異なる位置に、該第１及び第２の下側前後部張り材に調整可能に接続可能となる、請求項１４に記載の倉庫ラック変換アッセンブリ。
【請求項１８】
前記第１及び第２の上側前後部張り材は、前記ラックの前記上側の前側部張り材及び前記上側の後側部張り材に沿った異なる横方向位置に調整可能であり、
前記第１及び第２の下側前後部張り材は、前記ラックの前記下側の前側部張り材及び前記下側の後側部張り材に沿った異なる横方向位置に調整可能である、請求項１４に記載の倉庫ラック変換アッセンブリ。
【請求項１９】
前記第１及び第２の補助的直立材は、前記第１及び第２の上側の前後部張り材の上方に垂直に延在する、請求項１４に記載の倉庫ラック変換アッセンブリ。
【請求項２０】
前記第１及び第２の補助的直立材に連結され、該第１及び第２の補助的直立材の間に延在する、梁部を更に備える、請求項１４に記載の倉庫ラック変換アッセンブリ。
【請求項２１】
前記梁部に連結された壁パネルを更に備える、請求項２０に記載の倉庫ラック変換アッセンブリ。
【請求項２２】
前記第１及び第２の補助的直立材に連結された棚部を更に備える、請求項１４に記載の倉庫ラック変換アッセンブリ。
【請求項２３】
前記棚部は、前記第１及び第２の補助的直立材に沿った異なる高さに調整可能である、請求項２２に記載の倉庫ラック変換アッセンブリ。
【請求項２４】
前記第１及び第２の上側前後部張り材に連結され、該第１及び第２の上側前後部張り材の間に延在する、梁部を更に備える、請求項１４に記載の倉庫ラック変換アッセンブリ。
【請求項２５】
倉庫ラックを商品格納展示ラックに変換する方法であって、該倉庫ラックは、該倉庫ラックの前部から後部までの深さを有し、
前記方法は、
下側補助的前後部張り材の両端部を前記倉庫ラックに関して異なる深さで配置し、
前記下側補助的前後部張り材を、前記倉庫ラックの下側の前側部張り材及び下側の後側部張り材上で支持し、
上側補助的前後部張り材の両端部を前記倉庫ラックに関して異なる深さで配置し、
前記上側補助的前後部張り材を、前記倉庫ラックの上側の前側部張り材及び上側の後側部張り材上で支持し、
前記下側及び上側の補助的前後部張り材の間に延在して、これらの張り材により支持される位置に補助的直立材を配置する、各工程を備える、方法。
【請求項２６】
前記下側の補助的前後部張り材は、第１の下側補助的前後部張り材であり、前記上側の補助的前後部張り材は、第１の上側補助的前後部張り材であり、前記補助的直立材は、第１の補助的直立材であり、
前記方法は、
第２の下側補助的前後部張り材を、前記倉庫ラックの下側の前側部張り材及び下側の後側部張り材上で支持し、
第２の上側補助的前後部張り材を、前記倉庫ラックの上側の前側部張り材及び上側の後側部張り材上で支持し、
前記下側及び上側の補助的前後部張り材の間に延在して、これらの張り材により支持される位置に、第２の補助的直立材を配置する、各工程を備える、請求項２５に記載の方法。
【請求項２７】
前記第１及び第２の補助的直立材に梁部を連結し、該梁部は該第１及び第２の補助的直立材の間の距離に亘っている、工程を更に備える、請求項２６に記載の方法。
【請求項２８】
壁パネルを前記梁部に連結し、
前記壁パネルの少なくとも一部分を前記梁部上で支持する、各工程を更に備える、請求項２７に記載の方法。
【請求項２９】
前記第１及び第２の補助的直立材に棚部を連結する工程を更に備える、請求項２６に記載の方法。
【請求項３０】
前記第１及び第２の補助的直立材の少なくとも一部分に沿った複数の棚位置の間で、前記棚部のための位置を選択する工程を更に備える、請求項２９に記載の方法。
【請求項３１】
前記第１及び第２の下側の補助的前後部張り材に梁部を連結し、該梁部は第１及び第２の下側の補助的前後部張り材の間の距離に亘っている、工程を更に備える、請求項２６に記載の方法。
【請求項３２】
前記補助的直立材が接続可能となる前記上側及び下側の補助的前後部張り材に沿った複数の位置の間で、該補助的直立材の位置を選択する工程を更に備える、請求項２５に記載の方法。
【請求項３３】
前記下側補助的前後部張り材が接続可能となる前記下側の前側部及び後側部の張り材に沿った複数の位置の間で、該下側補助的前後部張り材の位置を選択し、
前記上側補助的前後部張り材が接続可能となる前記上側の前側部及び後側部の張り材に沿った複数の位置の間で、該上側補助的前後部張り材の位置を選択する、各工程を更に備える、請求項２５に記載の方法。
【請求項３４】
倉庫ラックに設置するための倉庫ラック変換アッセンブリであって、
前記倉庫ラックは、該倉庫ラックの前部から後部までの深さを持つと共に、
表面上に支持された複数の直立材と、
前記複数の直立材に連結され且つ該直立材の間に延在する、複数の側部張り材と、
前記複数の直立材に連結され且つ該直立材の間に延在する、複数の前後部張り材と、を有し、
前記倉庫ラック変換アッセンブリは、
前記倉庫ラックの異なる深さで両端部を有する第１の補助的前後部張り材であって、前記倉庫ラックの側部張り材により支持される、前記第１の補助的前後部張り材と、
前記第１の補助的前後部張り材から異なる高さで配置された、第２の補助的前後部張り材と、
前記第１及び第２の補助的前後部張り材の間に延在し、前記第１の補助的前後部張り材により支持される補助的直立材であって、該第１の補助的前後部張り材は、前記第２の補助的前後部張り材の負荷も支持する、前記補助的直立材と、
を備える、倉庫ラック変換アッセンブリ。  
【請求項３５】
前記第１の補助的前後部張り材は、前記第２の補助的前後部張り材の上方にある、請求項３４に記載の倉庫ラック変換アッセンブリ。
【請求項３６】
前記第１の補助的前後部張り材は、前記第２の補助的前後部張り材の下方にある、請求項３４に記載の倉庫ラック変換アッセンブリ。
【請求項３７】
前記第１及び第２の補助的前後部張り材は、前記倉庫ラックの異なる横方向位置に調整可能である、請求項３４に記載の倉庫ラック変換アッセンブリ。
【請求項３８】
前記倉庫ラックは、前記倉庫ラックの前部及び後部の間で画定された深さを有し、
前記補助的直立材は、前記倉庫ラック内の異なる深さで前記第１及び第２の補助的前後部張り材に調整可能に接続可能となる、請求項３４に記載の倉庫ラック変換アッセンブリ。
【請求項３９】
倉庫ラックに設置するための倉庫ラック変換アッセンブリであって、
前記倉庫ラックは、前部と、後部と、該倉庫ラックの該前部で横方向に間隔を隔てられた第１及び第２の前部直立材と、該倉庫ラックの該後部で横方向に間隔を隔てられた第１及び第２の後部直立材とを有し、
前記倉庫ラック変換アッセンブリは、
前記倉庫ラックの前記前部直立材の間に配置され、前記第１及び第２の前部直立材の間に追加の直立材を配置すること無しに該倉庫ラック上で支持される、第１の前後部張り材と、
前記倉庫ラックの前記前部直立材の間に配置され、前記第１及び第２の後部直立材の間に追加の直立材を配置すること無しに前記第１の前後部張り材から異なる高さで前記倉庫ラック上に配置された、第２の前後部張り材と、
前記第１及び第２の前後部張り材の間に延在し、前記第１の前後部張り材により支持される補助的直立材と、
を備える、倉庫ラック変換アッセンブリ。  
【請求項４０】
前記第２の前後部張り材は、前記倉庫ラックの前記第１の前部及び後部の直立材に連結され、該直立材により支持されている、請求項３９に記載の倉庫ラック変換アッセンブリ。
【請求項４１】
倉庫ラックのための倉庫ラック変換アッセンブリであって、
前記倉庫ラックは、所定距離で分離されると共に、該距離に亘って延在する単一の側部張り材に連結された第１及び第２の直立材を有し、
前記倉庫ラック変換アッセンブリは、
前記倉庫ラックの前記第１の直立材から延在する第１の前後部張り材と、
前記倉庫ラックの前記第２の直立材から延在する第２の前後部張り材と、
前記ラックにより支持されると共に、前記第１及び第２の前後部張り材の間に配置された、第３の前後部張り材と、
前記第３の前後部張り材から異なる高さに配置されると共に、前記ラックにより支持された、第４の前後部張り材と、
前記第３の前後部張り材により支持される補助的直立材であって、該補助的直立材は、前記第３及び第４の前後部張り材の間に延在し、これらの張り材に連結されている、前記補助的直立材と、
を備える、倉庫ラック変換アッセンブリ。  
【請求項４２】
前記補助的直立材は、前記第４の前後部張り材を支持している、請求項４１に記載の倉庫ラック変換アッセンブリ。
【請求項４３】
倉庫ラックのための倉庫ラック変換アッセンブリであって、
前記倉庫ラックは、該倉庫ラックの深さを画定する前部及び後部と、第１及び第２の前部直立材と、第１及び第２の後部直立材とを有し、該第１の前部直立材は上側前側部張り材及び下側の前側部張り材により前記第２の前部直立材に連結され、該第１の後部直立材は上側後側部張り材及び下側の後側部張り材により前記第２の後部直立材に連結され、前記第１の前部直立材は、第１の垂直平面内に置かれた第１の前後側部張り材により前記第１の後部直立材に連結され、前記第２の前部直立材は、第２の垂直平面内に置かれた第２の前後側部張り材により前記第２の後部直立材に連結されており、
前記倉庫ラック変換アッセンブリは、
前記ラックの異なる深さにまで延在するように構成された端部を有する第１の補助的前後部張り材であって、該第１の補助的前後部張り材は、前記ラックに連結されたとき前記第１の垂直平面に隣接する第３の垂直平面内に置かれる、前記第１の補助的前後部張り材と、
前記ラックの異なる深さにまで延在するように構成された端部を有する第２の補助的前後部張り材であって、該第２の補助的前後部張り材は、前記ラックに連結されたとき前記第２の垂直平面に隣接する第４の垂直平面内に置かれる、前記第２の補助的前後部張り材と、
前記ラックに連結されたとき前記第１及び第２の補助的前後部張り材により支持されると共に、前記前部直立材及び前記後部直立材の間に配置される、略垂直に配置された、少なくとも１つの商品展示支持要素と、
を備える、倉庫ラック変換アッセンブリ。  
【請求項４４】
前記第１の補助的前側部張り材から垂直に間隔を隔てられ、前記第３の平面内にあると共に、前記ラックの前記第１の前部直立材及び前記第１の後部直立材の間で延在するように構成された、第３の補助的前側部張り材と、
前記第２の補助的前側部張り材から垂直に間隔を隔てられ、前記第４の平面内にあると共に、前記ラックの前記第２の前部直立材及び前記第２の後部直立材の間で延在するように構成された、第４の補助的前側部張り材と、
を更に備える、請求項４３に記載の倉庫ラック変換アッセンブリ。  
【請求項４５】
フレームは、各々、前記第１及び第３の補助的前後部張り材、並びに、前記第２及び第４の補助的前後部張り材により支持され、これら張り材の間に延在する、第１及び第２の補助的直立材を備える、請求項４４に記載の倉庫ラック変換アッセンブリ。  
【請求項４６】
倉庫ラックに設置するための倉庫ラック変換アッセンブリであって、
前記倉庫ラックは、表面上に支持された複数の直立材を有し、
前記倉庫ラック変換アッセンブリは、
前記倉庫ラックに連結され、該倉庫ラックにより支持されるように構成されると共に、該倉庫ラックの横方向に間隔を隔てた中間の直立材の間に配置された第１の前後部張り材と、
前記第１の前後部張り材とは異なる高さで前記倉庫ラックに連結され、該倉庫ラックにより支持されるように構成されると共に、該倉庫ラックの横方向に間隔を隔てた中間の直立材の間に配置された第２の前後部張り材と、
前記倉庫ラックの前部及び後部の間の位置に、前記第１及び第２の前後部張り材に取り付けられた、商品展示支持要素と、
を備える、倉庫ラック変換アッセンブリ。
【請求項４７】
前記第１及び第２の前後部張り材の間に延在する補助的直立材を更に備える、請求項４６に記載の倉庫ラック変換アッセンブリ。
【請求項４８】
前記第１の前後部張り材から横方向に間隔を隔てた位置で前記倉庫ラックに連結され、該倉庫ラックにより支持されるように構成された、第３の前後部張り材と、
前記第２の前後部張り材から横方向に間隔を隔てた位置で前記倉庫ラックに連結され、該倉庫ラックにより支持されるように構成された、第４の前後部張り材と、
を更に備える、請求項４６に記載の倉庫ラック変換アッセンブリ。
【請求項４９】
倉庫ラックのための倉庫ラック変換アッセンブリであって、
前記倉庫ラックは、
第１の側部張り材により一緒に接続された第１及び第２の中間垂直直立材により形成される前部と、第２の側部張り材により一緒に接続された第３及び第４の中間垂直直立材により形成される後部と、を備え、前記前部は、前記第１及び第３の垂直直立材の間に延在する第１の前後部張り材と、前記第２及び第４の垂直直立材の間に延在する第２の前後部張り材とにより前記後部に連結されており、
前記倉庫ラック変換アッセンブリは、
前端部及び後端部を有する第１の補助的前後部張り材であって、該前端部は、前記第１及び第２の垂直直立材の間で前記ラックの前記前部に連結され、該後端部は、前記第３及び第４の垂直直立材の間で前記ラックの前記後部に連結されている、前記第１の補助的前後部張り材と、
前記第１の補助的前後部張り材から横方向に間隔を隔てた第２の補助的前後部張り材であって、該第２の補助的前後部張り材は、前端部及び後端部を有し、該第２の補助的前後部張り材の該前端部は、前記ラックの前記前部に連結され、該第２の補助的前後部張り材の該後端部は、前記ラックの前記後部に連結されている、前記第２の補助的前後部張り材と、
前記第１及び第２の補助的前後部張り材の前記前端部及び後端部の中間の位置で、該第１及び第２の補助的前後部張り材に連結された、商品展示支持要素と、
を備える、倉庫ラック変換アッセンブリ。
【請求項５０】
前記第１の補助的前後部張り材の前記前端部は、前記第１の垂直直立材に連結され、前記第１の補助的前後部張り材の前記後端部は、前記第３の垂直直立材に連結されている、請求項４９に記載の倉庫ラック変換アッセンブリ。
【請求項５１】
前記第１の前後部張り材は、第１の垂直平面に配置され、前記第１の補助的前後部張り材は、前記第１の垂直平面に隣接した第２の垂直平面に配置されている、請求項５０に記載の倉庫ラック変換アッセンブリ。
【請求項５２】
前記第２の前後部張り材は、第３の垂直平面に配置され、前記第２の補助的前後部張り材は、前記第３の垂直平面に隣接した第４の垂直平面に配置されている、請求項５１に記載の倉庫ラック変換アッセンブリ。
【請求項５３】
前記第２の補助的前後部張り材の前記前端部は、前記第２の垂直直立材に連結され、前記第２の補助的前後部張り材の前記後端部は、前記第４の垂直直立材に連結されている、請求項５２に記載の倉庫ラック変換アッセンブリ。
【請求項５４】
前記第１の補助的前後部張り材から垂直に間隔を隔てられ、前記第３の平面に配置されると共に、前記ラックの前記第１及び第３の直立材の間に延在するように構成された、第３の補助的前後部張り材と、
前記第２の補助的前後部張り材から垂直に間隔を隔てられ、前記第４の平面に配置されると共に、前記ラックの前記第２及び第４の直立材の間に延在するように構成された、第４の補助的前後部張り材と、
を更に備える、請求項５３に記載の倉庫ラック変換アッセンブリ。
【請求項５５】
前記第２の補助的前後部張り材の前記前端部は、前記第２の垂直直立材に連結され、前記第２の補助的前後部張り材の前記後端部は、前記第４の垂直直立材に連結されている、請求項５０に記載の倉庫ラック変換アッセンブリ。
【請求項５６】
倉庫ラックを商品格納展示ラックへと変換する方法であって、
前記倉庫ラックは、第１の前後部張り材により第１の後部直立材に接続された第１の前部直立材により画定される第１の側部と、第２の前後部張り材により第２の後部直立材に接続された第２の前部直立材により画定される第２の側部と、を有し、前記第１の側部は一対の下側側部張り材と一対の上側側部張り材とにより前記第２の側部に接続されており、
前記方法は、
前記ラックに関して前後部方向に第１の下側補助的前後部張り材を配置し、
前記第１の下側補助的前後部張り材を前記第１の側部上で支持し、
前記ラックに関して前後部方向に第１の上側補助的前後部張り材を配置し、
前記第１の上側補助的前後部張り材を前記第１の側部上で支持し、該上側補助的前後部張り材が前記第１の下側補助的前後部張り材よりも大きい角度で配置され、
前記ラックに関して前後部方向に第２の下側補助的前後部張り材を配置し、
前記第２の下側補助的前後部張り材を前記一対の下側側部張り材及び前記第２の側部のうち少なくとも１つで支持し、
前記ラックに関して前後部方向に第２の上側補助的前後部張り材を配置し、
前記第２の上側補助的前後部張り材を前記一対の上側側部張り材及び前記第２の側部のうち少なくとも１つで支持し、該上側補助的前後部張り材が前記下側補助的前後部張り材よりも大きい角度で配置され、
前記第１の側部及び前記第２の側部の間に延在する位置に商品展示支持要素を配置し、該商品展示支持要素は前記補助的前後部張り材の各々に連結される、各工程を備える方法。
【請求項５７】
前記第１の側部は、第１の平面を画定し、前記第２の側部は第２の平面を画定し、
前記方法は、
前記第１の上側及び下側の補助的な前後部張り材を、前記第１の平面に隣接した第３の平面に配置し、
前記第２の上側及び下側の補助的な前後部張り材を、前記第３の平面に隣接した第４の平面に配置する、各工程を更に備える、請求項５６に記載の方法。
【請求項５８】
第１及び第２の補助的直立材を、前記第１の下側及び上側の補助的前後部張り材の間に延在して支持される位置及び前記第２の下側及び上側の補助的前後部張り材の間に延在して支持される位置に各々配置し、
前記補助的直立材を用いて前記商品展示支持要素を支持する、各工程を備える、請求項５６に記載の方法。
【請求項５９】
倉庫ラックに設置するための倉庫ラック変換アッセンブリであって、
前記倉庫ラックは、該倉庫ラックの前部から後部までの深さを持つ主要フレームを画定し、
前記倉庫ラック変換アッセンブリは、
第１及び第２の前後部張り材を有する補助的フレームであって、該前後部張り材の両端部が前記倉庫ラックに関して異なる深さで配置される配置で該第１及び第２の前後部張り材の各々が前記主要フレームに連結されるように構成される、前記補助的フレームと、
前記補助的フレームの前記第１及び第２の前後部張り材に連結された、少なくとも１つの商品展示支持要素と、
を備える、倉庫ラック変換アッセンブリ。
【請求項６０】
前記主要フレームは、複数の直立材を備え、
前記補助的フレームの前記第１及び第２の前後部張り材は前記複数の直立材に連結されている、請求項５９に記載の倉庫ラック変換アッセンブリ。
【請求項６１】
前記補助的フレームの前記第１及び第２の前後部張り材は、前記複数の直立材に直接連結されている、請求項６０に記載の倉庫ラック変換アッセンブリ。
【請求項６２】
前記少なくとも１つの商品展示支持要素は、前記第１及び第２の前後部張り材の両端部の間で前記補助的フレームの前記第１及び第２の前後部張り材に連結されている、請求項５９に記載の倉庫ラック変換アッセンブリ。
【請求項６３】
前記補助的フレームは、前記少なくとも１つの商品展示要素を支持するため前記補助的フレームの前記第１及び第２の前後部張り材に連結された少なくとも１つの補助的直立材を有する、請求項５９に記載の倉庫ラック変換アッセンブリ。
【請求項６４】
ラックアッセンブリに設置するためのラック変換アッセンブリであって、
前記ラックアッセンブリは、該ラックアッセンブリの前部に配置された第１の直立材と、該ラックアッセンブリの後部に配置された第２の直立材と、前後部張り材と、を有し、
前記第１及び第２の直立材は、前記前後部張り材により連結されており、
前記ラック変換アッセンブリは、
第１の高さで前記第１及び第２のラック直立材に連結されて支持されるように構成された、横方向に延在する第１の梁部と、
前記第１の高さよりも低い第２の高さで前記第１及び第２のラック直立材に連結されて支持されるように構成された、横方向に延在する第２の梁部と、
前記横方向に延在する第１及び第２の梁部に取り付けられると共に、前記ラックアッセンブリの前記前部及び前記後部の間でこれらに略平行な平面に置かれた、商品展示支持要素と、
を備え、
前記横方向に延在する第１及び第２の梁部の少なくとも１つは、前記前後部張り材に沿った複数の異なる位置のうち任意の位置で前記前後部張り材に取り外し可能に固定されるように構成される、ラック変換アッセンブリ。
【請求項６５】
前記前後部張り材は、前記第１及び第２のラック直立材に取り付けられている。請求項６４に記載のラック変換アッセンブリ。
【請求項６６】
前記前後部張り材は、前記第１及び第２のラック直立材から所定の距離で、前記ラックアッセンブリの側部張り材に連結されて支持されるように構成される、請求項６４に記載のラック変換アッセンブリ。
【請求項６７】
前記横方向に延在する第２の梁部は、前記前後部張り材を介して前記第１及び第２のラック直立材に連結される、請求項６４に記載のラック変換アッセンブリ。
【請求項６８】
前記前後部張り材は、前記第１及び第２のラック直立材に取り付けられる、請求項６７に記載のラック変換アッセンブリ。
【請求項６９】
前記前後部張り材は、前記第１及び第２のラック直立材から所定の距離で、前記ラックアッセンブリの側部張り材に連結されて支持されるように構成される、請求項６７に記載のラック変換アッセンブリ。
【請求項７０】
前記前後部張り材は、第１の前後部張り材であり、
前記ラックアッセンブリは、前記第１の前後部張り材よりも低い位置に配置された第２の前後部張り材を有し、
前記横方向に延在する第１の梁部は、前記第１の前後部張り材に取り外し可能に固定され、
前記横方向に延在する第２の梁部は、前記第２の前後部張り材を介して前記第１及び第２の直立材に取り外し可能に固定されている、請求項６４に記載のラック変換アッセンブリ。
【請求項７１】
前記ラックアッセンブリは、前記第１の直立材から所定の横方向距離で、該ラックアッセンブリの前記前部に配置された第３の直立材と、前記第２の直立材から所定の横方向距離で、該ラックアッセンブリの前記後部に配置された第４の直立材とを有し、
前記横方向に延在する第１の梁部は、第１の高さで、前記第３及び第４のラック直立材に連結されて支持されるように構成され、
前記横方向に延在する第２の梁部は、第２の高さで、前記第３及び第４のラック直立材に連結されて支持されるように構成されている、請求項６４に記載のラック変換アッセンブリ。
【請求項７２】
前記ラックアッセンブリの前記前後部張り材は、前記第１及び第２の直立材上の異なる位置に調整可能である、請求項６４に記載のラック変換アッセンブリ。
【請求項７３】
前記横方向に延在する第１及び第２の梁部は、前記第１及び第２の直立材に関して異なる位置に調整可能である、請求項６４に記載のラック変換アッセンブリ。
【請求項７４】
前記前後部張り材は、前記第１及び第２の直立材により床部の上方に支持されている、請求項６４に記載のラック変換アッセンブリ。
【請求項７５】
前記商品展示支持要素は、前記横方向に延在する第２の梁部により下方から支持されている、請求項６４に記載のラック変換アッセンブリ。
【請求項７６】
前記商品展示支持要素は、前記横方向に延在する第１の梁部により上方から支持されている、請求項６４に記載のラック変換アッセンブリ。
【請求項７７】
前記商品展示支持要素は、前記横方向に延在する第２の梁部により下方からも支持されている、請求項７６に記載のラック変換アッセンブリ。
【請求項７８】
前記横方向に延在する第１及び第２の梁部の間に延在してこれらの梁部を連結する直立材を更に備える、
【請求項７９】
前記ラック変換アッセンブリの前記直立材は、前記ラック変換アッセンブリが前記ラックアッセンブリに設置されるとき、前記第１及び第２の直立材により床の上方に支持されている、請求項７８に記載のラック変換アッセンブリ。
【請求項８０】
前記ラック変換アッセンブリの前記直立材は、前記ラック変換アッセンブリが前記ラックアッセンブリに設置されるとき、該ラックアッセンブリの前記前後部張り材によっても支持されている、請求項７９に記載のラック変換アッセンブリ。
【請求項８１】
ラックアッセンブリに設置するための商品展示アッセンブリであって、
前記ラックアッセンブリは、前部と、後部と、前後部張り材とを有し、
前記商品展示アッセンブリは、
第１の高さに配置された、横方向に延在する梁部と、
前記横方向に延在する梁部に連結された、商品展示支持要素と、
を備え、
前記横方向に延在する梁部は、前記前後部張り材まで延在し、複数の異なる位置で該前後部張り材に取り外し可能に接続可能とされ、
前記商品展示支持要素は、前記横方向に延在する梁部の前記複数の異なる位置に対応する、前記ラックアッセンブリの前記前部及び後部の間の異なる位置へと調整可能である、商品展示アッセンブリ。
【請求項８２】
前記ラックアッセンブリの前記前後部張り材は、第１の前後部張り材であり、前記ラックアッセンブリは、前記第１の前後部張り材とは異なる高さに配置された第２の前後部張り材を有し、前記横方向に延在する梁部は、横方向に延在する第１の梁部であり、前記商品展示アッセンブリは、横方向に延在する第２の梁部を更に備え、該第２の梁部は、幾つかの異なる位置で、前記第２の前後部張り材まで延在して取り外し可能に直接接続可能となる、請求項８１に記載の商品展示アッセンブリ。
【請求項８３】
前記横方向に延在する梁部と前記商品展示支持要素とは、床に対して高い位置で、前記ラックアッセンブリの前記前後部張り材により連結されて支持されるように構成される、請求項８１に記載の商品展示アッセンブリ。
【請求項８４】
前記商品展示支持要素は、前記横方向に延在する梁部により下方から支持されている、請求項８１に記載の商品展示アッセンブリ。
【請求項８５】
前記商品展示支持要素は、前記横方向に延在する梁部により上方から支持されている、請求項８１に記載の商品展示アッセンブリ。
【請求項８６】
前記横方向に延在する梁部は、横方向に延在する第１の梁部であり、前記商品展示アッセンブリは、前記横方向に延在する第１の梁部とは異なる高さの横方向に延在する第２の梁部を更に備え、前記商品展示アッセンブリは、前記横方向に延在する第１及び第２の梁部により上方及び下方から支持されている、請求項８５に記載の商品展示アッセンブリ。
【請求項８７】
前記横方向に延在する梁部は、横方向に延在する第１の梁部であり、
前記商品展示アッセンブリは、
前記横方向に延在する第１の梁部とは異なる高さで横方向に延在する第２の梁部と、
前記横方向に延在する第１及び第２の梁部の間に延在してこれらの梁部を連結する直立材と、
を更に備える、請求項８１に記載の商品展示アッセンブリ。
【請求項８８】
前記直立材は、前記前後部張り材により床の上方で支持されている、請求項８７に記載の商品展示アッセンブリ。
【請求項８９】
ラックアッセンブリであって。
横方向に間隔を隔てた第１及び第２の前部直立材と、
横方向に間隔を隔てた第１及び第２の後部直立材と、
前記第１の前部及び後部の直立材の間に延在して該直立材を連結する、前後部張り材と、
前記前後部張り材まで延在して該張り材により支持される、横方向に延在する梁部と、
前記横方向に延在する梁部に連結されて支持される、商品展示支持要素と、
を備え、
前記商品展示支持要素は、前記前後部張り材上の異なる位置で、前記横方向に延在する梁部を支持することにより、前記前部直立材及び後部チャンネルの間の複数の異なる位置へと調整可能となる、ラックアッセンブリ。  
【請求項９０】
前記横方向に延在する梁部は、横方向に延在する第１の梁部であり、前記ラックアッセンブリは、前記横方向に延在する第１の梁部よりも低い高さで前記前部直立材及び後部チャンネルにより支持された、横方向に延在する第２の梁部を更に備え、該横方向に延在する第２の梁部は、前記商品展示支持要素にも連結されている、請求項８９に記載のラックアッセンブリ。
【請求項９１】
前記前後部張り材は、第１の前後部張り材であり、
前記ラックアッセンブリは、前記第２の前部直立材及び後部直立材の間に延在して該直立材を連結する、第２の前後部張り材を更に備え、
前記商品展示支持要素は、前記第２の前後部張り材上の異なる位置に前記横方向に延在する梁部を接続することにより前記複数の異なる位置に調整可能である、請求項８９に記載のラックアッセンブリ。
【請求項９２】
前記前後部張り材は、前記第１の前部直立材及び後部直立材上の異なる位置に調整可能である、請求項８９に記載のラックアッセンブリ。
【請求項９３】
前記前後部張り材は、前記第１の前部直立材及び後部直立材により床の上方に支持されている、請求項８９に記載のラックアッセンブリ。
【請求項９４】
前記商品展示支持要素は、前記横方向に延在する梁部により下方から支持されている、請求項８９に記載のラックアッセンブリ。
【請求項９５】
前記商品展示支持要素は、前記横方向に延在する梁部により上方から支持されている、請求項８９に記載のラックアッセンブリ。
【請求項９６】
前記商品展示支持要素は、前記横方向に延在する第１及び第２の梁部により上方及び下方から各々支持されている、請求項９０に記載のラックアッセンブリ。
【請求項９７】
前記横方向に延在する第１及び第２の梁部の間に延在して該梁部により支持されると共に、前記前後部張り材と前記前部直立材及び後部直立材とにより床の上方に支持されている、第３の直立材を更に備える、請求項９０に記載のラックアッセンブリ。
【請求項９８】
ラックアッセンブリに設置するためのラック変換アッセンブリであって、
前記ラックアッセンブリは、前部と、後部と、該ラックアッセンブリの前記前部の両側で、横方向に間隔を隔てた第１及び第２の前部直立材と、該ラックアッセンブリの前記後部の両側で、横方向に間隔を隔てた第１及び第２の後部直立材と、前記第１のラック直立材の間に延在して該直立材を連結する前後部張り材と、を有し、
前記ラック変換アッセンブリは、
第１の高さで、前記ラックアッセンブリの前記両側まで延在して該両側に連結されるように構成された、横方向に延在する第１の梁部と、
前記第１の高さよりも低い第２の高さで、前記ラックアッセンブリの前記両側まで延在して該両側に連結されるように構成された、横方向に延在する第２の梁部と、
前記横方向に延在する第１及び第２の梁部に取り付けられると共に、前記ラックアッセンブリの前記前部及び後部の間で略平行に延びる平面に配置されている、商品展示支持要素と、
を備える、ラック変換アッセンブリ。
【請求項９９】
前記横方向に延在する第１の梁部は、前記前後部張り材を介して、前記第１のラック直立材に連結されている。請求項９８に記載のラック変換アッセンブリ。
【請求項１００】
前記前後部張り材は、前記第１のラック直立材に取り付けられている、請求項９９に記載のラック変換アッセンブリ。
【請求項１０１】
前記横方向に延在する第２の梁部は、前記前後部張り材を介して、前記第１のラック直立材に連結されている、請求項９８に記載のラック変換アッセンブリ。
【請求項１０２】
前記前後部張り材は、第１の前後部張り材であり、
前記横方向に延在する第２の梁部は、第２の前後部張り材を介して、前記第１のラック直立材に連結されている、請求項９９に記載のラック変換アッセンブリ。
【請求項１０３】
前記横方向に延在する第１及び第２の梁部は、前記第１及び第２の直立材に対して異なる位置に調整可能である、請求項９８に記載のラック変換アッセンブリ。
【請求項１０４】
前記横方向に延在する第１及び第２の梁部のうち一つは、前記前後部張り材に沿った複数の位置のうち任意位置に取り外し可能に接続することができる、請求項１０３に記載のラック変換アッセンブリ。
【請求項１０５】
前記前後部張り材は、前記ラック直立材により床の上方に支持されている、請求項９８に記載のラック変換アッセンブリ。
【請求項１０６】
前記商品展示支持要素は、前記横方向に延在する第２の梁部により下方から支持されている、請求項９８に記載のラック変換アッセンブリ。
【請求項１０７】
前記商品展示支持要素は、前記横方向に延在する第１の梁部により上方から支持されている、請求項９８に記載のラック変換アッセンブリ。
【請求項１０８】
前記商品展示支持要素は、前記横方向に延在する第２の梁部により下方からも支持されている、請求項１０７に記載のラック変換アッセンブリ。
【請求項１０９】
前記横方向に延在する第１及び第２の梁部の間に延在して該梁部を連結する直立材を更に備える、請求項９８に記載のラック変換アッセンブリ。
【請求項１１０】
前記ラック変換アッセンブリは、該ラック変換アッセンブリが前記ラックアッセンブリに設置されたとき前記ラック直立材のみにより床の上方に支持されている、請求項１０９に記載のラック変換アッセンブリ。
【請求項１１１】
前記ラック変換アッセンブリは、該ラック変換アッセンブリが前記ラックアッセンブリに設置されたとき前記直立材及び前記ラックアッセンブリの前後部張り材により床の上方に支持されている、請求項１０９に記載のラック変換アッセンブリ。
【請求項１１２】
ラックアッセンブリであって、
前記ラックアッセンブリの深さを画定する前部及び後部と、
前記ラックアッセンブリの両端部に配置された２つの前部直立材と、
前記ラックアッセンブリの両端部に配置された２つの後部直立材と、
前記前部直立材及び後部直立材の間に延在して、該直立材を連結する前後部張り材と、
前記ラックアッセンブリの両端部まで延在し、該ラックアッセンブリの前記前部及び後部の間の位置で前記前部直立材及び後部直立材により支持された、横方向に延在する梁部であって、該横方向に延在する梁部は、前記前後部張り材上の異なる位置への該横方向に延在する梁部の接続により前記ラックアッセンブリにおける異なる深さに調整可能となる、前記横方向に延在する梁部と、
前記横方向に延在する梁部により連結されて支持された。商品展示支持要素と、
を備える、ラックアッセンブリ。
【請求項１１３】
前記横方向に延在する梁部は、横方向に延在する第１の梁部であり、前記ラックアッセンブリは、該横方向に延在する第１の梁部より低い位置で前記前部直立材及び後部直立材により連結されて支持された、横方向に延在する第２の梁部を更に備え、該横方向に延在する第２の梁部は、前記商品展示支持要素にも連結されている、請求項１１２に記載のラックアッセンブリ。
【請求項１１４】
前記商品展示支持要素は、前記前後部張り材上の異なる位置に前記横方向に延在する梁部を接続することにより、複数の異なる水平に間隔を隔てた位置に調整可能となる、請求項１１２に記載のラックアッセンブリ。
【請求項１１５】
前記前後部張り材は、前記前部直立材及び後部直立材上の異なる位置に調整可能である、請求項１１２に記載のラックアッセンブリ。
【請求項１１６】
前記前後部張り材は、前記前部直立材及び後部直立材により床の上方に支持されている、請求項１１２に記載のラックアッセンブリ。
【請求項１１７】
前記商品展示支持要素は、前記横方向に延在する梁部により下方から支持されている、請求項１１２に記載のラックアッセンブリ。
【請求項１１８】
前記商品展示支持要素は、前記横方向に延在する梁部により上方から支持されている、請求項１１２に記載のラックアッセンブリ。
【請求項１１９】
前記商品展示支持要素は、前記横方向に延在する第１及び第２の梁部により上方及び下方から支持されている、請求項１１３に記載のラックアッセンブリ。
【請求項１２０】
前記横方向に延在する第１及び第２の梁部の間に延在して該梁部を連結すると共に、前記前後部張り材と前記前部直立材及び後部直立材とにより床の上方に支持された、第３の直立材を更に備える、請求項１１３に記載のラックアッセンブリ。
【請求項１２１】
前記横方向に延在する梁部は、前記前後部張り材を介して、前記前部直立材及び後部直立材に連結されている、請求項１１２に記載のラックアッセンブリ。
【請求項１２２】
ラックアッセンブリであって、
直立材と、
前記直立材に連結して該直立材から延在する前後部張り材と、
前記前後部張り材まで延在し、連結され、支持される、横方向に延在する梁部と、
前記横方向に延在する梁部に連結されて支持される、商品展示支持要素と、
を備え、
前記商品展示支持要素は、前記横方向に延在する梁部を前記前後部張り材上の異なる位置に接続することにより、前記直立材に対する複数の異なる位置に調整可能となる、ラックアッセンブリ。
【請求項１２３】
前記横方向に延在する梁部は、横方向に延在する第１の梁部であり、前記前後部張り材は、第１の前後部張り材であり、前記ラックアッセンブリは、該横方向に延在する第１の梁部より低い位置で前記第２の前後部張り材まで延在し、連結され、支持された、横方向に延在する第２の梁部を更に備え、該横方向に延在する第２の梁部は、前記商品展示支持要素にも連結されている、請求項１２２に記載のラックアッセンブリ。
【請求項１２４】
前記直立材は第１の直立材であり、前記前後部張り材は第１の前後部張り材であり、前記ラックアッセンブリは、
前記第１の直立材から横方向に間隔を隔て、前記横方向に延在する梁部も支持する、第２の直立材と、
前記第２の直立材に連結されて該直立材から延在する、第２の前後部張り材と、
を備え、
前記商品展示支持要素は、前記横方向に延在する梁部を前記第２の前後部張り材上の異なる位置に接続することにより、複数の異なる位置に調整可能となる、ラックアッセンブリ。
【請求項１２５】
前記前後部張り材は、前記直立材上の異なる位置に調整可能である、請求項１２２に記載のラックアッセンブリ。
【請求項１２６】
前記前後部張り材は、前記直立材により床の上方に支持されている、請求項１２２に記載のラックアッセンブリ。
【請求項１２７】
前記商品展示支持要素は、前記横方向に延在する梁部により下方から支持されている、請求項１２２に記載のラックアッセンブリ。
【請求項１２８】
前記商品展示支持要素は、前記横方向に延在する梁部により上方から支持されている、請求項１２２に記載のラックアッセンブリ。
【請求項１２９】
前記商品展示支持要素は、前記横方向に延在する第１及び第２の梁部により上方及び下方から支持されている、請求項１２３に記載のラックアッセンブリ。
【請求項１３０】
前記直立材は、第１の直立材であり、
前記ラックアッセンブリは、前記横方向に延在する第１及び第２の梁部の間に延在して支持されると共に前記第２の前後部張り材及び前記第１の直立材により床の上方に支持されている、第２の直立材を更に備える、請求項１２３に記載のラックアッセンブリ。
【国際調査報告】
2005532237.tif 000031